(57)【要約】  フロントエンドモジュールにおけるより良好な帯域分離のために、エクストラクタ帯域をノッチフィルタ及びエクストラクタパスをバンドパスフィルタと共に含むエクストラクタ構成を使用して抽出することが提案される。フロントエンドモジュールは、第１及び第２の周波数領域をダイプレクサ間隔により分離するダイプレクサを更に有する。エクストラクタ帯域は、２つの周波数領域のいずれとも重ならないように、２つの周波数領域間に位置する。このようにして、２つの周波数領域間の間隔は、固有のダイプレクサ間隔を超えて拡大する。【選択図】図１Ａ
2019508961.tif 000002
【特許請求の範囲】
【請求項１】
キャリアアグリゲーションモード用に強化されたフロントエンドモジュールであって、
−第１のアンテナ接続部（ＡＴ）を第１のダイプレクサ（ＤＰＸ１）又はより高次のマルチプレクサと接続する、第１の信号パス（ＳＰ）を備え、
−第１の遮断領域を有する、前記ダイプレクサに連結されたノッチフィルタ（ＮＦ）を備え、
−前記アンテナ接続部と前記第１のノッチフィルタとの間の前記信号パスに配置されたノードにおいて連結された、第１のエクストラクタパス（ＥＰ）を備え、
−前記第１のエクストラクタパス（ＥＰ）に配置された、第１のエクストラクタ帯域用のバンドパスフィルタ（ＢＰ）を備え、前記ノッチフィルタ及び前記バンドパスフィルタは、エクストラクタ構成（ＥＡ）を形成し、
−前記ダイプレクサは、第１のダイプレクサ間隔によって離間された第１及び第２の周波数領域を互いに分離し、それぞれ第１の分割パス（ＴＰ１）又は第２の分割パス（ＴＰ２）に配分し、
−前記ノッチフィルタの前記遮断領域と前記第１のエクストラクタ帯域とは、少なくとも部分的に重なり合い、
−前記遮断領域は、第１の周波数領域と第２の周波数領域との間で、前記遮断領域が前記周波数領域のいずれとも重ならないように配置されている、フロントエンドモジュール。
【請求項２】
前記第１のアンテナ接続部（ＡＴ）と前記ノッチフィルタ（ＮＦ）との間の前記第１の信号パス（ＳＰ）に、少なくとも第３の周波数領域を前記第１の信号パスから分離し、第３の分割パス（ＴＰ３）に誘導する、第２のダイプレクサ（ＤＰＸ２）又はより高次のマルチプレクサが配置されている、請求項１に記載のフロントエンドモジュール。
【請求項３】
前記遮断領域は、帯域６６又は帯域１又は帯域４のＲｘ帯域と完全に重なり、
前記バンドパスフィルタ（ＢＰ）は、帯域６６又は帯域１又は帯域４又は帯域６５のＲｘ帯域用に形成され、
前記第１の周波数領域は、１９９５ＭＨｚまで又は２０２５ＭＨｚまでの周波数を含み、
前記第２の周波数領域は、２３００ＭＨｚ以上の周波数を含むため、
前記エクストラクタパス（ＥＰ）は、帯域６６又は帯域１又は帯域４又は帯域６５のＲｘ周波数を分離するために設定されている、請求項１又は２に記載のフロントエンドモジュール。
【請求項４】
前記遮断領域は、帯域３０Ｒｘ及びＴｘ及び／又は帯域４０と完全に重なり、
前記バンドパスフィルタ（ＢＰ）は、帯域３０Ｒｘ及びＴｘ及び／又は帯域４０用に形成され、
前記第１の周波数領域は、２１７０ＭＨｚまで又は２２００ＭＨｚまでの周波数を含み、
前記第２の周波数領域は、２４９６ＭＨｚ以上の周波数を含み、
前記エクストラクタパス（ＥＰ）は、帯域３０のＲｘ周波数及び／又は帯域４０を分離するために設定されている、請求項１〜３のいずれか一項に記載のフロントエンドモジュール。
【請求項５】
第２のノッチフィルタ（ＮＦ）は、前記第１の信号パス（ＳＰ）に、又は前記第１、前記第２及び前記第３の分割パスから選択される分割パス（ＴＰ）に配置されており、前記ノッチフィルタは、第２の遮断領域を有し、
アンテナ接続部（ＡＴ）と前記少なくとも１つの更なるノッチフィルタ（ＮＦ）との間で、エクストラクタパス（ＥＰ）は、前記第１の信号パス又は前記それぞれの分割パスから分岐し、前記エクストラクタパスに、その通過領域が第２のエクストラクタ帯域に相当するバンドパスフィルタ（ＢＰ）が配置されており、前記第２の遮断領域及び前記第２のエクストラクタ帯域は、少なくとも部分的に重なっている、請求項１〜４のいずれか一項に記載のフロントエンドモジュール。
【請求項６】
それぞれのエクストラクタ帯域を抽出するために形成されている、２つのエクストラクタ構成（ＥＡ）が設けられており、
前記第１のエクストラクタ帯域は、帯域６６又は帯域１又は帯域４又は帯域６５のＲｘ帯域を含み、
前記第２のエクストラクタ帯域は、ＧＮＳＳ、ＷＬＡＮ２．４、帯域４０、帯域３０、帯域３２及びＬＭＢから選択される周波数用に設定されており、ＬＭＢは、１４２５〜１５１１ＭＨｚの周波数を含む、請求項１〜５のいずれか一項に記載のフロントエンドモジュール。
【請求項７】
異なる３つのエクストラクタ帯域を併せて抽出するために形成されている、３つのエクストラクタ構成（ＥＡ１、ＥＡ２、ＥＡ３）が設けられており、
前記第１のエクストラクタ帯域は、帯域６６又は帯域１又は帯域４又は帯域６５のＲｘ帯域を含み、
前記第２及び前記第３のエクストラクタ帯域は、ＧＮＳＳ、ＷＬＡＮ２．４、帯域４０、帯域３０、帯域３２及びＬＭＢから選択される異なる周波数用に互いに独立に設定されている、請求項１〜６のいずれか一項に記載のフロントエンドモジュール。
【請求項８】
それぞれのノッチフィルタ（ＮＦ）及びエクストラクタパスに配置されたバンドパスフィルタ（ＢＰ）のそれぞれは、ＳＡＷフィルタ、温度補償ＳＡＷフィルタ又はＢＡＷフィルタを実装するマイクロ弾性波共振器を含む、請求項１〜７のいずれか一項に記載のフロントエンドモジュール。
【請求項９】
前記１つ以上のダイプレクサ（ＤＰＸ）は、Ｌ素子及びＣ素子から実装され、ＬＴＣＣセラミック又は積層体に集積化されるか又は支持体上に組み立てられる離散Ｌ素子及びＣ素子として実装される、ローパスフィルタ、ハイパスフィルタ又はバンドパスフィルタを含む、請求項１〜８のいずれか一項に記載のフロントエンドモジュール。
【請求項１０】
前記エクストラクタ構成（ＥＡ）のそれぞれは、バイパスパス（ＵＥＰ）によりバイパスすることができ、
それぞれのバイパスパスには、前記バイパスパスを開閉するためにスイッチ（ＳＷ）が配置されている、請求項１〜９のいずれか一項に記載のフロントエンドモジュール。
【請求項１１】
前記分割パス（ＴＰ）のうちの１つは、アンテナスイッチ（ＡＳ）の入力と接続されており、
前記アンテナスイッチの出力は、対応するスイッチ設定を介して一連のデュプレクサと選択的に接続することができ、
前記デュプレクサは、第１の帯域用のＲｘフィルタ及び前記第１の帯域とは異なる第２の帯域用のＴｘフィルタを組み合わせる、混合デュプレクサを含み、
エクストラクタ帯域Ｒｘは、前記第２の帯域の周波数を含み、
更なるデュプレクサは、前記第１の帯域用のＴｘフィルタ及びそれに関連付けられたＲＸフィルタを含む、未混合デュプレクサである、請求項１〜１０のいずれか一項に記載のフロントエンドモジュール。
【請求項１２】
第１の混合デュプレクサは、Ｂ１−Ｔｘ用のフィルタをＢ３−Ｒｘと組み合わせるか又はＢ４−Ｔｘ用のフィルタをＢ２−Ｒｘと組み合わせ、
エクストラクタ帯域Ｂ４−Ｒｘ又はＢ１−Ｒｘが割り当てられている、請求項１１に記載のフロントエンドモジュール。
【請求項１３】
混合デュプレクサは、
Ｂ１−ＴｘをＢ３−Ｒｘと、又は
Ｂ６５−ＴｘをＢ３−Ｒｘと、又は
Ｂ４−ＴｘをＢ２−Ｒｘと、又は
Ｂ４−ＴｘをＢ２５−Ｒｘと、又は
Ｂ６６−ＴｘをＢ２−Ｒｘと、又は
Ｂ６６−ＴｘをＢ２５−Ｒｘと、組み合わせ、
上記で列挙した前記混合デュプレクサの前記Ｒｘ帯域を前記対応するＴｘ帯域と組み合わせ、Ｂ３−Ｔｘ／Ｂ３−Ｒｘ、Ｂ２−Ｔｘ／Ｂ２−Ｒｘ並びにＢ２５−Ｔｘ及びＢ２５−Ｒｘ用の前記デュプレクサから選択することができる、未混合デュプレクサが追加的に設けられている、エクストラクタ帯域Ｂ４−Ｒｘ又はＢ１−Ｒｘ又はＢ６６−Ｒｘが割り当てられている、請求項１１又は１２に記載のフロントエンドモジュール。
【請求項１４】
前記アンテナスイッチ（ＡＳ）の出力は、対応するスイッチ設定を介して２つのトリプレクサと接続することができ、
前記トリプレクサのうちの１つは、Ｂ１−Ｔｘ／Ｂ３−Ｒｘ／Ｂ３２−Ｒｘ若しくはＢ６５−Ｔｘ／Ｂ３−Ｒｘ／Ｂ３２−Ｒｘ用のフィルタ組み合わせ又はＢ３−Ｔｘ／Ｂ３−Ｒｘ／Ｂ３２−Ｒｘ用のフィルタ組み合わせを含み、
エクストラクタ帯域Ｂ４−Ｒｘ又はＢ１−Ｒｘ又はＢ６５−Ｒｘが割り当てられている、請求項１１〜１３のいずれか一項に記載のフロントエンドモジュール。
【請求項１５】
混合デュプレクサを含み、前記混合デュプレクサは、
Ｂ１−Ｔｘ／Ｂ（１１＋２１）−Ｒｘ、又は
Ｂ１−Ｔｘ／Ｂ１１−Ｒｘ、又は
Ｂ１−Ｔｘ／Ｂ２１−Ｒｘ、を組み合わせ、
エクストラクタ帯域Ｂ４−Ｒｘ又はＢ１−Ｒｘ又はＢ６６−Ｒｘが割り当てられており、
Ｂ１１又はＢ２１用の未混合デュプレクサが更に設けられている、請求項１１〜１４のいずれか一項に記載のフロントエンドモジュール。
【請求項１６】
前記アンテナスイッチ（ＡＳ）の出力は、対応するスイッチ設定を介してトリプレクサ及びデュプレクサと接続することができ、
前記トリプレクサは、Ｂ１−若しくはＢ６５−Ｔｘ／Ｂ３−Ｔｘ／Ｂ３−Ｒｘ用のフィルタ組み合わせ又はＢ２若しくはＢ２５−Ｔｘ／Ｂ４若しくはＢ６６−Ｒｘ／Ｂ２若しくはＢ２５−Ｒｘ用のフィルタ組み合わせを含み、
エクストラクタ帯域Ｂ４−Ｒｘ又はＢ１−Ｒｘ又はＢ６６−Ｒｘ又はＢ６５−Ｒｘが割り当てられている、請求項１１〜１５のいずれか一項に記載のフロントエンドモジュール。
【請求項１７】
前記アンテナスイッチ（ＡＳ）の出力は、対応するスイッチ設定を介してトリプレクサ及び／又はデュプレクサ及びクアドプレクサと接続することができ、
前記クアドプレクサは、Ｂ１−Ｔｘ又はＢ６５−Ｔｘ／Ｂ３−Ｔｘ／Ｂ３−Ｒｘ／Ｂ３２−Ｒｘ用のフィルタ組み合わせを含み、
エクストラクタ帯域Ｂ４−Ｒｘ又はＢ１−Ｒｘ又はＢ６６−Ｒｘが割り当てられている、請求項１１〜１６のいずれか一項に記載のフロントエンドモジュール。
【請求項１８】
ダイバーシティアンテナ（ＤＡＴ）と接続可能な未混合受信パスを備え、
前記未混合受信パスからエクストラクタパス（ＥＰ）を分岐し、前記エクストラクタ帯域Ｂ４−Ｒｘ、Ｂ１−Ｒｘ、Ｂ６５−Ｒｘ又はＢ６６−Ｒｘが割り当てられている、エクストラクタ構成（ＥＡ）を備え、
前記未混合受信パスに、ダイプレクサ（ＤＰＸ）が配置されており、前記ダイプレクサは、前記未混合受信パスを、それぞれ中帯域（ＭＢ）及び高帯域（ＨＢ）の範囲に割り当てられている２つの未混合受信分割パスに分割し、中帯域用の前記受信分割受信パスに、Ｂ３−Ｒｘ／Ｂ２１−Ｒｘ用又はＢ３−Ｒｘ／Ｂ３２−Ｒｘ用のフィルタ組み合わせを有する混合ダイバーシティダイプレクサが配置されている、請求項１１〜１７のいずれか一項に記載のフロントエンドモジュール。
【請求項１９】
前記ダイバーシティアンテナ（ＤＡＴ）と前記エクストラクタ構成（ＥＡ）との間に、前記受信パスから更なる分割パス（ＴＰ）に周波数領域用に分岐する、更なるダイプレクサ（ＤＰＸ）又はより高次のマルチプレクサが配置されている、請求項１８に記載のフロントエンドモジュール。
【請求項２０】
ダイバーシティアンテナ（ＤＡＴ）と接続可能な未混合受信パスを備え、
前記未混合受信パスからエクストラクタパス（ＥＰ）を分岐し、前記エクストラクタ帯域Ｂ４−Ｒｘ、Ｂ１−Ｒｘ、Ｂ６５−Ｒｘ又はＢ６６−Ｒｘが割り当てられている、エクストラクタ構成（ＥＡ）を備え、
前記未混合受信パスには、前記未混合受信パスを２つの未混合受信分割パスに分割するダイプレクサ（ＤＰＸ）が配置されており、前記未混合受信分割パスは、それぞれ中帯域領域及び高帯域領域に割り当てられ、
中帯域用の前記受信分割パスには、Ｂ３２−Ｒｘ／Ｂ２１−Ｒｘ／Ｂ３−Ｒｘ用のフィルタ組み合わせを有する混合ダイバーシティトリプレクサが配置されている、請求項１〜１９のいずれか一項に記載のフロントエンドモジュール。
【請求項２１】
それぞれのエクストラクタ帯域を抽出するために形成されている、２つのエクストラクタ構成（ＥＡ）が設けられており、
前記第１のエクストラクタ帯域は、帯域３０Ｒｘ及びＴｘ及び／又は帯域４０を含み、
前記第２のエクストラクタ帯域は、ＧＮＳＳ、ＷＬＡＮ２．４、帯域６６−Ｒｘ、帯域３２−Ｒｘ及びＬＭＢから選択される周波数用に設定されており、ＬＭＢは、１４２５〜１５１１ＭＨｚの周波数を含む、請求項１〜２０のいずれか一項に記載のフロントエンドモジュール。
【請求項２２】
３つのエクストラクタ構成（ＥＡ）を含み、前記エクストラクタ構成（ＥＡ）のうちの１つは、帯域３０及び／又は帯域４０用に設定されている、請求項１〜２１のいずれか一項に記載のフロントエンドモジュール。
【請求項２３】
帯域Ｂ１−Ｔｘ又はＢ６５−Ｔｘ／Ｂ（１１＋２１＋３２）−Ｒｘ用のフィルタ組み合わせを備える混合デュプレクサが設けられている、請求項１〜２２のいずれか一項に記載のフロントエンドモジュール。
【請求項２４】
帯域Ｂ１−Ｔｘ又はＢ６５−Ｔｘ／Ｂ３−Ｒｘ／Ｂ（１１＋２１＋３２）−Ｒｘを分離し、それぞれ帯域チャネルに割り当てることができる、混合トリプレクサが設けられている、請求項１〜２３のいずれか一項に記載のフロントエンドモジュール。
【発明の詳細な説明】
【背景技術】
【０００１】
モバイル通信システムにおけるデータ転送速度を増加させるために、通話接続又はデータ転送を少なくとも２つの異なる周波数帯域内で同期して行う動作方式が定義されている。
【０００２】
そのような動作方法は、モバイル通信においてキャリアアグリゲーションモードの名称でもまた既知である。この動作方法は、少なくとも３つのＦＤＤ周波数帯域を使用し、そのうち少なくとも２つは、場合により１つ以上の送信帯域／ＴＸ帯域と組み合わされる受信帯域／ＲＸ帯域である。ＴＤＤシステムでは、キャリアアグリゲーションは、２つのＴＤＤ帯域により既に可能である。そのために、帯域が割り当てられたフィルタ及び特にデュプレクサが配置されている、対応する信号パスは、１つ以上のアンテナと並列に接続される。
【０００３】
特にその際、１つのアンテナのみによる解決法は、適切なマルチプレクサによる良好な信号分離を必要とする。複数の帯域における並列動作時の周波数分離の品質は、互いに分離されることとなる帯域の周波数間隔を伴う状態で向上する。信号分離は、狭い帯域間隔によって及び高い多重化段階、すなわち３つ以上の帯域を互いに分離するマルチプレクサによってもまた、悪影響を受ける。その信号分離は、通常、高い周波数精度のフィルタ及びデュプレクサ並びに煩雑な整合回路によってのみ達成することができる。
【０００４】
２つのアンテナによる解決法に対して、３つの受信帯域を備えるキャリアアグリゲーションモード用に、少なくとも１つのセル方式クアドプレクサが必須である。この解決法では、金属製ハウジングが複数のアンテナを備えたモバイル通信デバイスにとって問題になるという欠点がある。
【０００５】
１つのアンテナによる解決法のために、少なくとも１つのセル方式ヘキサプレクサを含むフロントエンドモジュールが必須である。しかし、ヘキサプレクサは、高コストを伴う複雑な構成を有する。
【０００６】
１つのアンテナのみによるキャリアアグリゲーションモード用の更なる解決法は、例えば、帯域幅ＬＢ（低帯域）、ＭＢ（中帯域）及びＨＢ（高帯域）を互いに分離するトリプレクサを必要とする。しかし、この解決法では、２２００ＭＨｚで終端する中帯域と２３００ＭＨｚから開始する高帯域との間の狭い間隔が問題となる。したがって、高度に集積化された、例えば、ＬＴＣＣに実装されたトリプレクサの安価な解決法は、この課題設定に対して実装することが非常に困難である。
【０００７】
複数の受信チャネルが接続されたキャリアアグリゲーションモード方式では、信号パスが双方向で妨害されないこと、又は信号がそれぞれ別の帯域に漏洩して侵入しないことが重要であり、そうしないとより大幅な性能損失及びそれによるより大幅な挿入損失を伴う恐れがある。同様に、複数の送信帯域が通信接続用に並列動作されるキャリアアグリゲーションモードについても当てはまる。
【０００８】
対応するフロントエンドモジュールに場合により並列に実装される必要がある、キャリアアグリゲーションモード用の複数の帯域組み合わせを議論するときに、更なる問題が発生する。この問題は、帯域分離を更に困難にする。
【発明の概要】
【０００９】
本発明の課題は、キャリアアグリゲーションモード用に強化され、容易な手法及び少ない損失で帯域分離が可能である、フロントエンドモジュールを提供することである。
【００１０】
この課題は、本発明の特許請求の範囲第１項に記載のフロントエンドモジュールにより解決される。本発明の有利な態様は、従属請求項から明らかである。
【００１１】
本発明の基本概念は、アンテナ接続部と結合された第１の信号パスに、第１及び第２の周波数領域を互いに分離し、出力側で第１又は第２の分割パスに配分するダイプレクサを設けることである。ダイプレクサは、設定に応じて、第１のダイプレクサ間隔を有する。ダイプレクサ間隔は、ダイプレクサ入力に印加できる２つの信号の最小間隔であると解釈され、その２つの信号は、ダイプレクサの出力部で少ない減衰を伴って互いに分離可能であり、そのようにして異なる分割パスに配分することができる。
【００１２】
更に、ダイプレクサに連結された、第１の遮断領域を有するノッチフィルタが設けられる。本発明により、ノッチフィルタは、その遮断領域が第１の周波数領域と第２の周波数領域との間に配置されるが、その隣接する２つの周波数領域のいずれとも重ならないように形成される。このようにして、ダイプレクサを遮断領域の範囲内の信号に対して非通過性にすることができる。その際、ダイプレクサの２つの通過領域の相対している縁部は、急峻にカットされて、それにより、よりシャープに限定された通過領域境界が得られる。
【００１３】
第１のエクストラクタパスは、アンテナ接続部と第１のノッチフィルタとの間の信号パスに配置されたノードにおいて連結される。したがって、遮断領域の範囲内に存在する信号は、第１のエクストラクタパスを介して信号線から抽出することができる。
【００１４】
エクストラクタパスにはそれに加えて、エクストラクタ帯域に対して通過性であるが、別の周波数を減衰するバンドパスフィルタが配置されている。ノッチフィルタ及びエクストラクタパスは、併せてエクストラクタ構成を形成し、このエクストラクタ構成により、エクストラクタ帯域の範囲内に存在する信号は、信号パスから抽出することができる。
【００１５】
提案されたフロントエンドモジュールは、比較的広いダイプレクサ間隔を備えたダイプレクサを実装することができるという利点を有し、これは、より狭いダイプレクサ間隔の場合よりも技術的により容易に可能である。しかしその際、第１の周波数領域と第２の周波数領域との間に存在する信号は、エクストラクタパスを介して減結合できるため、消失しない。ダイプレクサ及びエクストラクタ構成は、併せてトリプレクサを形成し、そのトリプレクサは、エクストラクタ帯域、第１の周波数領域及び第２の周波数領域を互いに分離することができる。
【００１６】
したがって、本発明によるフロントエンドモジュールのダイプレクサは、ハイパスとローパスとの組み合わせとして、容易な手法で、ＬＴＣＣ又は積層体に実装することができる。当然ながら、ダイプレクサを離散フィルタとしてＳＭＤインダクタ及びＳＭＤキャパシタから形成することもまた可能である。
【００１７】
一実施形態によれば、第１のアンテナ接続部とノッチフィルタとの間の第１の信号パスに、少なくとも第３の周波数領域を第１の信号パスから分離し、第３の又は加えて更なる分割パスに誘導する、第２のダイプレクサ又はより高次のマルチプレクサが配置されている。それにより、フロントエンドモジュールは、３つの分割パスを介して３つの周波数領域を、また、エクストラクタパスを介してエクストラクタ帯域を、互いに正確に分離することができる。したがって、３つの周波数領域及びエクストラクタ帯域は、相互に妨害することなく、互いに独立に動作し、並列動作することもまた可能である。それに加えて、周波数領域及びエクストラクタ帯域は、最小損失を伴って相互に単離することができる。
【００１８】
一実施例によれば、ノッチフィルタの遮断領域又はエクストラクタ帯域は、帯域１及び／又は帯域４及び／又は帯域６６のＲＸ帯域と完全に重なるように配置されている。帯域６６のＲｘ帯域は、帯域６５と正確に同じ周波数領域を占めているため、帯域６６のＲｘ帯域はまた、この実施形態によるとノッチフィルタの遮断領域に当然ながら存在する。帯域４Ｒｘ用のフィルタは、この場合及び他のすべての実施例では、より広帯域の帯域１Ｒｘ又は更に帯域６５／６６Ｒｘを追加的に更に含むように、設定することができる。４つの帯域はすべて、２１１０ＭＨｚ〜２２００ＭＨｚの同一の狭い周波数帯域に位置している。これに対応して、バンドパスフィルタは、エクストラクタパスに帯域１のＲＸ帯域及び／又は帯域４及び／又は帯域６５／６６用に形成されている。帯域６６のＲｘ帯域のどのような言及も、帯域６５のＲｘ帯域を同時に併せて含むべきであること、及び帯域６６ＲＸに対して利用可能なフィルタが常に帯域６５ＲＸに対してもまた利用可能であることが、下記にもまた当てはまる。
【００１９】
第１のダイプレクサについて、第１の周波数領域が１９９５ＭＨｚまでの周波数を含むか又は代替的に、帯域３４に含まれて、２０２５ＭＨｚまでを含む場合に十分である。それに対応して、第２の周波数領域は、≧２３００ＭＨｚの周波数を含むことができる。
【００２０】
帯域１及び／又は帯域４及び／又は帯域６６のＲＸ帯域を含む、エクストラクタ構成を持たないフロントエンドモジュール用に、本発明でなければ、２２００ＭＨｚ〜２３００ＭＨｚに及ぶ１００ＭＨｚのダイプレクサ間隔を備えたダイプレクサが必須であったであろう。ＲＸ帯域１、４及び６６の言及した周波数は、エクストラクタパスを介して信号出力されるため、ダイプレクサについて、３０５ＭＨｚ（又は２７５ＭＨｚ）のダイプレクサ間隔、すなわち、１９９５ＭＨｚ〜２３００ＭＨｚ（又は２０２５ＭＨｚ〜２３００ＭＨｚ）が十分である。このことは、ＬＴＣＣ又は積層技術におけるダイプレクサの技術的実装を容易にする。当然ながら、例えば、ＳＭＤ構成要素を使用する離散フィルタを含む、任意の他の技術において実装することもまた可能である。
【００２１】
更なる実施形態によると、エクストラクタ帯域は、ＴＤＤ帯域である帯域３０（Ｒｘ及びＴｘ）及び／又は帯域４０の周波数を抽出するために設定される。それに対応して、ノッチフィルタの遮断領域は、遮断領域が帯域３０の狭い２つのＲＸ帯域及びＴｘ帯域及び／又はより広い帯域４０と完全に重なるように存在する。これらの帯域はすべて、２３００〜２４００ＭＨｚの周波数領域で互いに部分的に重なるように位置している。これに対応して、バンドパスフィルタは、エクストラクタパスに帯域３０のＲＸ帯域及び／又は帯域４０用に形成することができる。すべての更なる実施例にもまた、帯域４０用のフィルタが同時に帯域３０のＲｘ及びＴｘの周波数用にもまた設定されていることが当てはまる。その逆に、帯域３０フィルタは、対応するより広い帯域を使用して、追加的に更に帯域４０用に設定することができる。帯域３０及び／又は帯域４０のＲＸ帯域用の周波数をエクストラクタパスに配分することによって、ダイプレクサ間隔を２２００ＭＨｚ〜２４９６ＭＨｚの範囲に拡大することが可能である。帯域３０及び／又は帯域４０のＲＸ周波数の抽出をしなければ、２２００ＭＨｚ〜２３００ＭＨｚの範囲に位置したであろう１００ＭＨｚのみのダイプレクサ間隔を備えたダイプレクサが必須であったであろう。この場合もまた、大きなダイプレクサ間隔は、ダイプレクサの技術的に容易な技術的実装を可能にする。
【００２２】
本発明の更なる態様では、第１の信号パス又は第１、第２若しくは第３の分割パスから選択される分割パスのうちの１つに、第２のノッチフィルタが配置されている。この第２のノッチフィルタは、第２の遮断領域を有し、第２のバンドパスフィルタが配置されている第２のエクストラクタパスと併せて、第２のエクストラクタ構成を形成する。第２のバンドパスフィルタの通過領域は、第２のエクストラクタ帯域に相当する。第２の遮断領域及び第２のエクストラクタ帯域は、少なくとも部分的に重なっている。このようにして、場合により狭い帯域の２つの周波数帯域をダイプレクサとは無関係に抽出することを実現できたため、残りの帯域は、より良好に分離かつ互いに隔離することができる。
【００２３】
有利には、第２のエクストラクタ帯域は、エクストラクタ構成を介して特に良好にフィルタ処理して除くことができる、未混合Ｒｘ信号に対応する。これは、遮断領域の範囲内に存在する周波数に対するノッチフィルタの高い反射に起因する。これらの周波数は、エクストラクタパスを介してのみエクストラクタ構成を通過することができ、ノッチフィルタが配置されているパスを介して通過することはできない。したがって、抽出は、高効率で又は低減衰で実現する。
【００２４】
一実施形態では、フロントエンドモジュールには、それぞれ１つのエクストラクタ帯域を抽出するために形成されている、２つのエクストラクタ構成が設けられている。第１のエクストラクタ帯域は、帯域６６及び／又は帯域１のＲＸ帯域を含む。第２のエクストラクタ帯域は、ＧＮＳＳ、ＷＬＡＮ２．４、帯域４０、帯域３０ＲＸ、帯域３２ＲＸ及びＬＭＢから選択される周波数用に設定されている。その際、ＬＭＢは、「低中帯域（Ｌｏｗｅｒ  Ｍｉｄ  Ｂａｎｄ）」の略であり、１４２５ＭＨｚ〜１５１１ＭＨｚの周波数を含む。そのようなフロントエンドモジュールにより、２つのエクストラクタ帯域の周波数を周波数スペクトル全体から抽出することが実現される。
【００２５】
信号パスに配置されたエクストラクタ構成は、信号パスにおける挿入損失をごくわずかに高めるのみである。したがって、挿入損失を残りの周波数領域において許容できないほど増加させることなく、より多数のエクストラクタ構成を設けることが可能である。
【００２６】
本発明の一実施形態によれば、したがって、異なる３つのエクストラクタ帯域を併せて抽出するために形成されている、３つのエクストラクタ構成が設けられている。その際、第１のエクストラクタ帯域は、帯域６６のＲＸ帯域及び／又は帯域１のＲＸ帯域を含む。第２及び第３のエクストラクタ帯域は、ＧＮＳＳ、ＷＬＡＮ２．４、帯域４０ＲＸ、帯域３０ＲＸ、帯域３２ＲＸ及びＬＭＢから選択される周波数用に互いに独立に設定されている。
【００２７】
エクストラクタ構成に使用されるフィルタ、すなわちそれぞれのノッチフィルタ及びエクストラクタパスのうちの１つに配置されたバンドパスフィルタのそれぞれは、本発明の一実施形態によれば、ＳＡＷフィルタ、温度補償ＳＡＷフィルタ又はＢＡＷフィルタを実装するマイクロ弾性波共振器を含む。温度補償ＳＡＷフィルタは、補償層を使用して低減された周波数の温度係数を有するＳＡＷフィルタであると解釈される。
【００２８】
温度補償ＳＡＷフィルタは、例えば、電極構造体を覆うＳｉＯ２層を有し、その厚さは、それぞれの材料内を伝播可能な弾性波波長λの約２０〜３０％に達する。
【００２９】
エクストラクタパス内のバンドパスフィルタは、例えば、マイクロ弾性波共振器又はＤＭＳトラックのはしご型構成を有することができる。
【００３０】
ノッチフィルタは、同様にはしご型構成として実施することができ、並列又は直列の共振器は、部分的に又は全体的にコイルと置き換えることができる。しかし、それぞれ、個々の共振器をノッチフィルタとして組み込むこともまた可能であり、そのようなマイクロ弾性波共振器から形成されたノッチフィルタの遮断領域は、共振器の対抗周波数の範囲内に存在する。
【００３１】
本発明によるフロントエンドモジュールに組み込まれたダイプレクサは、それぞれローパスフィルタ及びハイパスフィルタを含む。ダイプレクサのフィルタのうちの１つ又は２つをバンドパスフィルタとして実施することもまた可能である。フィルタは、それぞれＬ素子及びＣ素子から実装することができる。その際、Ｌ素子及びＣ素子をＬＴＣＣセラミック又は積層体に、例えば、伝導路及び構造化メタライゼーションの形態で集積化することが可能である。しかし、ダイプレクサのフィルタを、支持体上で併せて組み立てられ、その際、独立に操作できるコンポーネントを再び構成する、離散Ｌ素子及びＣ素子から実装することもまた可能である。
【００３２】
更なる実施形態によれば、エクストラクタ構成のうちの少なくとも１つは、バイパスパスによりバイパスされ、そのバイパスパスに、バイパスパスを開閉するためにスイッチが配置されている。それにより、バイパスパス内のスイッチを開けることによって、エクストラクタ帯域の抽出を防止することが可能である。そのようにノッチフィルタもまたバイパスされるため、エクストラクタ帯域の範囲内の信号は、信号パスを反射されずに又は減衰されずに通過することができる。このようにして、エクストラクタ構成により支配されることとなる信号パスにおけるインピーダンス増加は、エクストラクタ帯域に介入する必要がないときには常に回避されることが実現される。その場合は常に、バイパスパスを開くことができる。
【００３３】
その際、フロントエンドモジュールのエクストラクタ構成のそれぞれに、そのようなバイパスパスを設けることが可能であり、そのバイパスパスは、それぞれのスイッチを介して開放又は遮断することができる。
【００３４】
本発明の更なる態様では、分割パスのそれぞれは、アンテナスイッチの入力と接続される。その際、それぞれの分割パスに対して、別個のアンテナスイッチを設けることができる。しかし、分割パス全体を共通アンテナスイッチと接続することもまた可能である。
【００３５】
アンテナスイッチの対応するスイッチ設定を介して、アンテナスイッチの出力は、帯域チャネルと接続され、その帯域チャネルには、帯域チャネルに割り当てられたそれぞれの帯域用のフィルタ要素が配置されている。通常、すなわち、帯域がＦＤＤ方式を利用し、未混合受信帯域ではない場合には常に、そのようなフィルタ要素は、デュプレクサを含む。
【００３６】
一実施では、任意の第１の帯域用のＲＸフィルタ及び第１の帯域とは異なる任意の第２の帯域用のＴＸフィルタを組み合わせる、新規混合デュプレクサが組み込まれる。このようにして、帯域のＲＸ周波数及びＴＸ周波数を、異なるパス又は帯域チャネルに配置されている異なるフィルタを介して伝導することが可能である。
【００３７】
例えば、エクストラクタ帯域が第２の帯域のＲＸ周波数を含むとき、第２の帯域のＲＸ周波数は、エクストラクタパスを介して抽出することが可能であり、それに対して、Ｔｘ周波数は、アンテナスイッチの出力と接続されている混合デュプレクサを介して抽出することが可能である。したがってその場合、アンテナスイッチの別の出力に、第１の帯域用のＴＸフィルタ及びそれに関連付けられたＲＸフィルタを含む、未混合デュプレクサが設けられている。それにより、第１の帯域のＲＸ周波数を混合デュプレクサ又は未混合デュプレクサを介して選択的にフィルタ処理することが実現される。第２の帯域のＲＸ信号は、エクストラクタパスを介してのみ得られる。それにより、第１及び第２の帯域のＲｘ帯域は、下りキャリアアグリゲーション用に必須であるように、常に同時に使用できる。以下では、キャリアアグリゲーションは、例示が上りキャリアアグリゲーションに明示的に関連しない限り、下り５キャリアアグリゲーションであると解釈される。
【００３８】
特定の実施形態では、混合デュプレクサにおいて、帯域１用のＴＸフィルタは、帯域３用のＲＸフィルタと組み合わされているか、又は帯域４用のＴＸフィルタは、帯域２用のＲＸフィルタと組み合わされている。それに対して並列に、エクストラクタ帯域に、バンドパスフィルタとして帯域４ＲＸフィルタを備えた又は帯域１ＲＸフィルタ若しくは帯域６５／６６ＲＸフィルタが設けられている。混合デュプレクサ用の更なる可能な実施は、帯域３Ｒｘ及び帯域６５Ｔｘを組み合わせる。
【００３９】
一実施形態によれば、帯域１用のＴＸフィルタを帯域３のＲＸフィルタと、又は帯域６５のＴＸフィルタを帯域３のＲＸフィルタと、又は帯域４のＴＸフィルタを帯域２のＲＸフィルタと、又は帯域４のＴＸフィルタを帯域２５のＲＸフィルタと、又は帯域６６のＴＸフィルタを帯域２のＲＸフィルタと、又は帯域６６のＴＸフィルタを帯域２５のＲＸフィルタと、組み合わせる、混合デュプレクサが設けられている。そのような混合デュプレクサは、エクストラクタ帯域が帯域４のＲＸ周波数用に、又は帯域１のＲＸ周波数用に、又は帯域６５／６６のＲＸ周波数用に設定されている、エクストラクタ構成と組み合わされている。加えて、上記で列挙した混合デュプレクサのＲｘ帯域を対応するＴｘ帯域と組み合わせ、Ｂ３−Ｔｘ／Ｂ３−Ｒｘ、Ｂ２−Ｔｘ／Ｂ２−Ｒｘ並びにＢ２５−Ｔｘ及びＢ２５−Ｒｘ用のデュプレクサから選択することができる、未混合デュプレクサが設けられている。
【００４０】
特定の実施形態では、アンテナスイッチの出力は、対応するスイッチ設定を介してトリプレクサ又はデュプレクサと選択的に接続することができる。第１のトリプレクサは、混合トリプレクサとして形成されており、帯域１用のＴＸフィルタ、帯域３用のＲＸフィルタ及び帯域３２用のＲＸフィルタを含む。あるいは、第１のトリプレクサは、帯域６５用のＴＸフィルタ、帯域３用のＲＸフィルタ及び帯域３２用のＲＸフィルタを含む。更なるトリプレクサは、帯域３用のＴＸフィルタ、帯域３用のＲＸフィルタ及び帯域３２用のＲＸフィルタを含む。混合トリプレクサにまだ存在していない、そこで既に利用可能なＴｘフィルタに割り当てられているＲＸ帯域は、エクストラクタ構成又は対応するエクストラクタパスを介してフィルタ処理して除去されるか又は抽出される。それに対応して、エクストラクタ構成は、帯域４用のＲＸフィルタ、又は帯域１用のＲＸフィルタ、又は帯域６５／６６用のＲＸフィルタを含む。
【００４１】
そのような混合トリプレクサは、有利には、アンテナスイッチの別の出力と接続され、帯域１用のＴＸフィルタ及び帯域１１用のＲＸフィルタ又は帯域１１に直接隣接する帯域２１Ｒｘを含む、混合デュプレクサと組み合わされている。したがって、帯域１１又は帯域２１用の対応するすべてのＲｘフィルタを、両方の帯域を処理できるようにするために、対応して幅広く形成することが有効である。あるいは、帯域１用のＴＸフィルタは、帯域１１用のＲＸフィルタと組み合わされている。
【００４２】
更なる態様では、混合デュプレクサは、帯域１又は帯域６５用のＴＸフィルタ及び帯域２１用のＲＸフィルタを含むことができる。帯域１Ｔｘは、より広い帯域６５に完全に含まれているため、帯域１Ｔｘは、常に帯域６５Ｔｘフィルタにより同時に処理できる。それに対応して、これらの混合デュプレクサには、ＲＸフィルタ、例えば、帯域４、帯域１又は帯域６５用のＲＸフィルタが、エクストラクタ帯域に割り当てられている。更に、フロントエンドモジュールではこの場合、帯域１１又は帯域２１用の未混合デュプレクサが更に設けられている。このようにして、帯域１１又は帯域２１用のＲＸ帯域を未混合デュプレクサ又は混合デュプレクサを介してフィルタ処理することが可能である。
【００４３】
一代替実施形態では、アンテナスイッチの出力は、対応するスイッチ設定を介してトリプレクサ又はデュプレクサと接続することができる。トリプレクサは、例えば、帯域１及び／又は６５／６６用のＴＸフィルタ、帯域３用のＴＸフィルタ及び帯域３用のＲＸフィルタのフィルタ組み合わせを含むことができる。あるいは、トリプレクサは、両方の帯域がほとんど一致している帯域２又は帯域２５用のＴＸフィルタ、帯域４又は帯域６５／６６用のＲＸフィルタ及び帯域２又は帯域２５用のＲＸフィルタのフィルタ組み合わせを含むことができる。この実施に対して、エクストラクタ帯域には、帯域４のＲＸ帯域又は帯域１のＲＸ帯域又は帯域６６のＲＸ帯域が割り当てられている。この実施でもまた、それぞれの帯域（帯域１、帯域４又は帯域６６）用のデュプレクサ動作は、分離された２つのフィルタを介して、それにより分離された２つのパスを介して行われ、その２つのパスのうち１つのパスは、エクストラクタパスである。この実施は、上りキャリアアグリゲーション用にもまた利用することができる。一般的に、帯域２５用のＲｘ及びＴｘフィルタが、帯域２に自動的に一緒に含まれること、又は帯域２のフィルタが、容易な手法で帯域２５用にもまた同時に設定することができることが、これらの更なる実施例にも当てはまる。
【００４４】
更に別の実施形態では、アンテナスイッチの出力は、対応するスイッチ設定を介してトリプレクサ及び／又はデュプレクサ及び／又はクアドプレクサと接続することができる。その際、クアドプレクサは、帯域１ＴＸ又は６５ＴＸ、帯域３ＴＸ、帯域３ＲＸ及び帯域３２ＲＸ用のフィルタ組み合わせを含むことができる。それに対応して、エクストラクタ帯域には、帯域４、帯域１又は帯域６５／６６のＲＸ帯域が割り当てられている。帯域１、帯域４又は帯域６６用のデュプレクサ動作は、この場合、異なるパスを介して行うことができ、そのパスのうちの１つは、エクストラクタパスである。この実施もまた上りキャリアアグリゲーションを促進する。
【００４５】
フロントエンドモジュールは、更なる実施形態では、ダイバーシティアンテナと接続可能な未混合受信パスを含むことができる。更に、未混合受信パスにもまた、エクストラクタパスを分岐するエクストラクタ構成が設けられている。その際、対応するエクストラクタ帯域には、帯域４、帯域１又は帯域６６のＲＸ帯域が割り当てられている。更に、未混合受信パスには、未混合受信パスを２つの未混合受信分割パスに分割するダイプレクサが配置されており、その未混合受信分割パスは、それぞれ中帯域領域及び高帯域領域に割り当てられている。
【００４６】
その際、中帯域用の受信分割パスには、帯域３ＲＸ／帯域２１ＲＸ用又は帯域３ＲＸ／帯域３２ＲＸ用のフィルタ組み合わせを有する、混合ダイバーシティダイプレクサが配置されている。したがって、未混合ダイバーシティ受信パスにおいてもまた、多数の異なる受信帯域を容易な手法で分離することが実現され、そのために必要なダイバーシティダイプレクサは、比較的広いダイプレクサ間隔を伴って容易な手法で実装することができ、それによって帯域分離が損なわれることはない。
【００４７】
ダイバーシティアンテナとエクストラクタ構成との間に、未混合受信パスから低帯域領域用の第２の分割パスに分岐する、更なるダイプレクサ、トリプレクサ又はクアドプレクサを配置することができる。したがって、低帯域、中帯域、高帯域、超高帯域領域及び５ＧＨｚ領域をカバーする、５つまでの受信分割パスに分離することができる。
【００４８】
ダイバーシティパスの更なる態様では、未混合受信パスは、ダイバーシティアンテナと接続される。エクストラクタ構成は、未混合受信パスから、そのエクストラクタ帯域が帯域４、帯域１又は帯域６５／６６のＲＸ帯域に割り当てられている、エクストラクタパスに分岐する。更に、未混合受信パスには、未混合受信パスを２つの未混合受信分割パスに分割するダイプレクサが配置されており、その未混合受信分割パスは、それぞれ中帯域及び高帯域領域に割り当てられている。その際、中帯域用の受信分割パスには、帯域３２のＲＸ帯域、帯域２１のＲＸ帯域及び帯域３のＲＸ帯域用のフィルタ組み合わせを有する、混合ダイバーシティトリプレクサが配置されている。
【００４９】
更なる実施形態によれば、それぞれ１つのエクストラクタ帯域を抽出するために形成されている、２つのエクストラクタ構成が設けられている。その際、第１のエクストラクタ帯域は、帯域３０ＲＸ及び／又は帯域４０を含む。第２のエクストラクタ帯域は、Ｇａｌｉｌｅｏ、Ｂｅｉｄｏｕ、Ｇｌｏｎａｓｓ又はＧＰＳ（ＧＮＳＳ）、ＷＬＡＮ２．４、帯域４０、帯域６５／６６ＲＸ、帯域３２ＲＸ及びＬＭＢから選択される周波数用に設定されている。その際、ＬＭＢは、１４２５ＭＨｚ〜１５１１ＭＨｚの周波数を含む。
【００５０】
以下では、実施例及び添付の図面に基づき本発明を詳細に説明する。図面は、部分的に概略的に作成されており、多くの場合、実質的に広範囲の構成又はフロンエンド回路の部分構造のみを示す。
【図面の簡単な説明】
【００５１】
【図１Ａ】本発明による第１のフロントエンドモジュールの概略図である。
【図１Ｂ】アンテナ接続部と様々な分割パスとの間の、図１Ａの構成において決定された通過曲線の図である。
【図２Ａ】フロントエンドモジュールの第２の実施形態の図である。
【図２Ｂ】アンテナ接続部と様々な分割パスとの間の、図２Ａの構成における通過曲線の図である。
【図３】本発明によるフロントエンドモジュール内に見られるような、エクストラクタ構成の図である。
【図４】本発明によるフロントエンドモジュールにおけるエクストラクタ構成の様々な構成選択肢Ａ〜Ｈの図である。
【図５Ａ】簡易な実施例の概略図である。
【図５Ｂ】図５Ａに図示した構成の２つの分割パス及び抽出パスに関する通過曲線の図である。
【図６】それぞれ異なるエクストラクタ構成を使用して本発明によるフロントエンドモジュールの信号パスから抽出される、それぞれ２つの帯域の組み合わせの表である。
【図７】２つのエクストラクタ構成を図４に記載のフロントエンドモジュール内の様々な位置Ａ〜Ｇにどのように分配することができるのかを例示的に提示する図である。
【図８】本発明によるフロントエンドモジュールに組み込み可能な２つのダイプレクサ用の可能な通過領域を示す図である。
【図９】本発明によるモジュールにおいてそれぞれ異なるエクストラクタ構成を使用して信号パスから抽出することができる、３つの帯域の可能な組み合わせを示す図である。
【図１０Ａ】更なる簡易な実施例の概略図である。
【図１０Ｂ】図１０Ａに図示した構成の２つの分割パス及び抽出パスに関する通過曲線を示す図である。
【図１１Ａ】本発明によるフロントエンドモジュールに組み込み可能な３つのエクストラクタ構成を図４に記載の様々なエクストラクタ構成位置にわたってどのように分配することができるかを提示する図である。
【図１１Ｂ】フロントエンドモジュールにおける３つのエクストラクタ構成の組み合わせ用の更なる位置選択肢を示す図である。
【図１１Ｃ】新規ヘキサプレクサの実施例が、アンテナ接続部と様々な分割パスとの間の通過曲線を示す図である。
【図１２】切り替え可能なバイパスパスを備えたエクストラクタ構成を示す図である。
【図１３】新規デュプレクサ組み合わせを備えた実施例を示す図である。
【図１４】１つの混合デュプレクサ及び２つの混合トリプレクサを備えた実施例を示す図である。
【図１５Ａ】混合デュプレクサ及びトリプレクサを備える更なる実施例の図である。
【図１５Ｂ】図１５Ａの第１のアンテナスイッチにおいて区別される、更なる実施例の図である。
【図１５Ｃ】同様に図１５Ａの第１のアンテナスイッチにおいてのみ区別される、更なる実施例の図である。
【図１６】２つの混合トリプレクサを備える更なる実施例の図である。
【図１７】１つの混合トリプレクサ及び１つの混合クアドプレクサを備える更なる実施例の図である。
【図１８Ａ】１つの混合ダイバーシティダイプレクサを備えた、ダイバーシティアンテナと接続可能なフロントエンドモジュールに関する本発明による実施例を示す図である。
【図１８Ｂ】２つの混合ダイバーシティダイプレクサを備えた、ダイバーシティアンテナと接続可能なフロントエンドモジュールに関する本発明による実施例を示す図である。
【図１９】ダイバーシティアンテナと接続可能であり、アンテナ接続部に混合ダイバーシティトリプレクサを有する、本発明による更なるフロントエンドモジュールを示す図である。
【図２０】２つのエクストラクタ構成により本発明によるフロントエンドモジュールにおいて実装することができる可能な組み合わせを示す図であり、少なくとも１つのエクストラクタ構成は、帯域３０（Ｔｘ及びＲｘ）及び／又は帯域４０用に設定されている。
【図２１】２つのエクストラクタ構成の可能な組み合わせ及び本発明によるフロントエンドモジュールにおけるその構成を示す図である。
【図２２】３つのエクストラクタ構成を本発明によるフロントエンドモジュールに配置する、様々な選択肢を示す図である。
【図２３】本発明によるフロントエンドモジュールに組み込み可能な２つのダイプレクサ用の可能な通過帯域の周波数を設定する、様々な選択肢を示す図である。
【図２４】異なる３つのエクストラクタ構成がフロントエンドモジュールにおいてどのように位置決めすることができるのかを示す図である。
【図２５】アンテナスイッチにおいて２つの混合トリプレクサ及び１つの混合デュプレクサを備えた本発明によるフロントエンドモジュールを第２のアンテナと組み合わせて示す図である。
【図２６】２つのアンテナ及びアンテナスイッチに混合トリプレクサを備えたフロントエンドモジュールの更なる変形形態を示す図である。
【図２７】アンテナスイッチに２つのエクストラクタ構成及び２つの混合デュプレクサを備えたフロントエンドモジュールを示す図である。
【図２８】アンテナスイッチに、図２７による実施とは異なって変更した位置決めを有する２つのエクストラクタ構成及び２つの混合デュプレクサを備えた更なるフロントエンドモジュールを示す図である。
【発明の詳細な説明】
【００５２】
図１Ａは、２つのダイプレクサＤＰＸ１、ＤＰＸ２を使用して、３つの分割パスＴＰ１〜ＴＰ３に互いに分割することができ、分割パスはそれぞれ、周波数分割領域に割り当てられている、本発明による簡単なフロントエンドモジュールを示す。周波数分割領域のうちの２つの間に配置された更なる周波数帯域は、エクストラクタ構成ＥＡ１を使用して信号パスＳＰから抽出される。
【００５３】
第１のダイプレクサＤＰＸ１は、アンテナ接続部ＡＴと信号パスＳＰを介して接続されている。アンテナ接続部ＡＴは、アンテナと接続可能であり、６９９ＭＨｚ〜２６９０ＭＨｚのＨＦ信号を伝送することができる。第１のダイプレクサＤＰＸ１は、それぞれ周波数分割領域をダイプレクサＤＰＸの出力において分割パスＴＰに配分する、ローパス及びハイパスを含む。ローパスの出力では、例えば、６９９ＭＨｚ〜９６０ＭＨｚの周波数を有する低帯域用に設定された、第１の分割パスＴＰ１が開始する。それに対して、ハイパスの出力では、１４２５ＭＨｚ〜２６９０ＭＨｚ又は１７１０ＭＨｚ〜２６９０ＭＨｚの周波数を伝送することができる。
【００５４】
第１のエクストラクタ構成ＥＡ１は、第１のダイプレクサＤＰＸ１と接続可能に信号パスＳＰに配置されている。第１のエクストラクタ構成ＥＡ１は、アンテナ接続部ＡＴと第１のダイプレクサとの間又は第１のダイプレクサの出力において信号パスに配置することができる。
【００５５】
第１のエクストラクタ構成は、帯域１、帯域４及び／又は帯域６５／６６のＲＸ帯域に対して通過する、エクストラクタ帯域用に設定されている。これらの周波数は、抽出パスＥＰ１を介して信号パスから抽出される。エクストラクタ構成ＥＡ１に含まれるノッチフィルタは、遮断領域を有するため、遮断領域の範囲内の周波数は、信号パスを通過することができないが、その代わりに、抽出パスＥＰ１及び抽出パスに配置されたバンドパスフィルタを介して別個のパスに、まさしく言及した抽出パスＥＰ１に、信号出力されるか、又は信号パスＳＰから抽出される。
【００５６】
エクストラクタ構成ＥＡ１の後方に第２のデュプレクサＤＰＸ２が信号パスに配置されており、その第２のデュプレクサにより残存周波数領域が、１４２５ＭＨｚ〜２０２５ＭＨｚ又は代替的に１７１０ＭＨｚ〜２０２５ＭＨｚの周波数領域を含む中帯域領域と、２３００ＭＨｚ〜２６９０ＭＨｚの周波数を含む高帯域領域と、に更に分割される。中帯域及び高帯域の周波数を伴う信号は、ダイプレクサの出力において対応して第２の分割パスＴＰ２又は第３の分割パスＴＰ３に配分される。
【００５７】
２１１０ＭＨｚ〜２２００ＭＨｚの範囲を抽出パスＥＰ１を介して信号パスからフィルタ処理して除去することによって、技術的により容易な措置により可能である、より広いダイプレクサ間隔を備えた第２のダイプレクサＤＰＸ２を形成することができる。そのようにして、ダイプレクサ間隔を２０２５ＭＨｚにあるローパスの上限と２３００ＭＨｚにある通過帯域の下限に相当する高帯域の開始との間の周波数領域に位置決めすることが適切であり、これは、２７５ＭＨｚのダイプレクサ間隔に相当する。エクストラクタ構成ＥＡ１が中帯域及び高帯域を分離するためにダイプレクサを必要としなかったとしても、そのダイプレクサ間隔は、２２００ＭＨｚ〜２３００ＭＨｚに、したがってわずか１００ＭＨｚの値に設定されている。エクストラクタ構成により、ダイプレクサの技術的実施は、大幅に簡略化され、更に加えて、集積化されたダイプレクサをＬＴＣＣ又は積層体に実装可能である。当然ながら、ダイプレクサは、離散フィルタとしてＳＭＤインダクタ及びＳＭＤキャパシタから形成することができる。
【００５８】
第２のデュプレクサＤＰＸ２のローパスの出力において第２の分割パスＴＰ２に分岐されている第２の周波数領域が、帯域３４の周波数を含む必要がない限り、ローパスの上限は、１９９５ＭＨｚの値に更に低下され、それにより、ダイプレクサ間隔は、実現可能な３０５ＭＨｚに増加する。
【００５９】
したがって、図示されたフロントエンドモジュールにより、３つの周波数領域及び抽出帯域は、正確に分離することができ、互いに独立して並列に動作することができる。これは、少なくとも２７５ＭＨｚから第２のダイプレクサに対して３０５ＭＨｚまで、及び第１のダイプレクサＤＰＸ１に対して４６５ＭＨｚ〜７５０ＭＨｚの、容易に実装可能な広いダイプレクサ間隔を有するダイプレクサにより実現することができる。
【００６０】
図１Ｂは、第１のダイプレクサＤＰＸ１のローパス出力におけるアンテナ接続部ＡＴと第１の分割パスＴＰ１に対する出力との間、アンテナ接続部ＡＴと第２のダイプレクサＤＰＸ２のローパス出力との間、及びアンテナ接続部ＡＴと第２のダイプレクサＤＰＸ２のハイパスの出力との間で決定されている、４本の通過曲線を示す。
【００６１】
低帯域の第１の分割パスＴＰ１において同時により少ない挿入損失が得られ、より大きな抑制を伴う遮断領域が正確に分離されていることが明らかである。第２の分割パスＴＰ２では、この場合は１７１０ＭＨｚ〜１９９０ＭＨｚの中帯域領域の信号が伝送される。エクストラクタ構成ＥＡ１は、周波数の通過をエクストラクタ構成のノッチフィルタの遮断領域で防止し、遮断領域は、ローパスフィルタの上縁部に配置されているため、それにより、中帯域に対する通過曲線の右端部は、急峻に低下しており、これは、周波数分割領域の良好な分離のために有利である。
【００６２】
エクストラクタパスＥＰ１で抽出された周波数は、エクストラクタ構成のバンドパスフィルタを通過し、同様に、通過帯域は、急峻に低下している縁部を有する。
【００６３】
第３の分割パスＴＰ３に配分された高帯域の左縁部もまた、急峻な上昇を有し、したがって、第２の分割パスＴＰ２に割り当てられた中帯域に対して正確に分離されている。
【００６４】
図２Ａは、図１Ａに図示されたフロントエンドモジュールと同様の原理で形成されている、更なるフロントエンドモジュールを示す。アンテナ接続部ＡＴと接続可能な第１のダイプレクサは、図１Ａの周波数領域と同じ周波数領域に設定されている。第１のダイプレクサのハイパスの出力と、この実施において帯域３０及び／又は帯域４０の範囲の周波数の抽出用に設定されている、第１のエクストラクタ構成ＥＡ１が接続されている。したがって、第１の抽出パスＥＰ１では、２３００ＭＨｚ〜２４００ＭＨｚの周波数を抽出することができる。それに対応して、エクストラクタ構成ＥＡ１の遮断領域は、遮断領域が少なくとも抽出パスＥＰ１の周波数を含むように設定されている。
【００６５】
第１のエクストラクタ構成ＥＡ１の後方に、第２のデュプレクサＤＰＸ２が設けられており、その通過領域は、第１のエクストラクタ構成ＥＡ１の遮断領域の両側に位置決めされている。それに対応して、第２のデュプレクサＤＰＸ２のローパスの出力において第２の分割パスＴＰ２で、１４２５ＭＨｚ〜２２００ＭＨｚの周波数領域が伝送されるが、その一方で、第３の分割パスＴＰ３にハイパスの出力において、２４９６ＭＨｚ〜２６９０ＭＨｚの周波数が配分される。
【００６６】
この場合もまた、第２の分割パスＴＰ２の中帯域と、第３の分割パスＴＰ３に配分されている高帯域との間の間隔が、２９６ＭＨｚの値に増加されているのは、高帯域領域の下限に隣接する第１の抽出パスＥＰ１の周波数は、第２のダイプレクサＤＰＸ２を介して第３の分割パスＴＰ３に配分することがもはや必要ないからである。第１のエクストラクタ構成を使用して、ダイプレクサ間隔もまた、１００ＭＨｚから２９６ＭＨｚに増加される。これは、この場合にもまた、ダイプレクサをより容易な技術によりＬＴＣＣ基板又は積層体に集積化することを可能にする。当然ながら、ダイプレクサをＳＭＤインダクタ及びＳＭＤキャパシタから実装することもまた可能である。
【００６７】
図２Ｂは、図２Ａの構成においてアンテナ接続部ＡＴとそれぞれの分割パスＴＰ１、ＴＰ２及びＴＰ３との間で測定された通過曲線又はアンテナ接続部ＡＴから第１の抽出パスＥＰ１に到達することができる信号を示す。この場合にもまた、別の周波数分割領域に対して遠く離れて配置された低帯域は、より大きな減衰を伴う第１の分割パスＴＰ１に対応してより高い側に存在する周波数分割領域に対して分離されている。第２の分割パスＴＰ２に第２のダイプレクサのローパスの出力において配分されている中帯域領域用の曲線は、右縁部で急峻に低下する。
【００６８】
第３の分割パスＴＰ３に配分されている高帯域領域の左縁部は、大幅に上昇する。第２のダイプレクサの周波数分割領域に相当する高帯域領域と低帯域領域とのちょうど間に、第１の抽出パスＥＰ１に到達することができ、別の帯域又は周波数領域に対してそのように正確に分離されている周波数が存在する。第３の分割パスＴＰ３の周波数と抽出パスとの間及び第２の分割パスの周波数と抽出パスとの間の限界において、通過曲線は、急峻に低下している。したがってこの場合もまた、第１の抽出パスＥＰ１の周波数に対してこの場合もまた正確に分離されている、３つの周波数分割領域の正確な分離が実現される。
【００６９】
図３は、本発明により組み込まれたエクストラクタ構成の可能な構成を概略図で示す。そのようなエクストラクタ構成は、原理的に欧州特許第１，６８３，２７５（Ａ）号から周知である。エクストラクタ構成ＥＡは、任意の信号パスＳＰに統合することができ、この信号パスから次いで抽出パスＥＰに分岐する。その際、信号パスＳＰに配置されたノッチフィルタＮＦは、遮断領域の周波数を高効率に反射するように動作するため、その周波数は、ノッチフィルタＮＦを通過することができない。正確に言えば、遮断領域内の周波数を有する信号は、アンテナ接続部とノッチフィルタＮＦとの間のノードに接続されている抽出パスＥＰ１に伝達される。
【００７０】
抽出パスＥＰ１に配置されたバンドパスフィルタＢＰは、遮断領域に存在する周波数の更なるフィルタ処理用に動作するため、更なる抽出パスＥＰに、正確な縁部を有する狭い周波数帯域を抽出することができる。好適には、エクストラクタ構成により、弱いＲＸ信号を信号パスから抽出することができる。
【００７１】
しかし追加的に、本発明は、ノッチフィルタの遮断領域にわたって分割パスにおいて分離されるべき隣り合う周波数領域間の間隔をより広げ、それにより周波数領域の分離用に必要なダイプレクサの実装をより容易にするために、エクストラクタ構成を利用する。
【００７２】
図４は、大幅な概略図に基づいて第１のダイプレクサＤＰＸ１及び直列に接続された第２のダイプレクサＤＰＸ２を備えたフロントエンドモジュールを示す。それによりフロントエンドモジュールにおいて、分割パスＴＰ１、ＴＰ２及びＴＰ３は、互いに分離することができる。分割パスの番号付けは、それぞれの実施例に対して個別に行われ、別の実施例ではその番号から異なっていてもよい。それに対応して、特定の分割パス又は特定の番号付けを有する分割パスに配分されている周波数領域もまた異なってもよい。
【００７３】
アンテナ接続部ＡＴと様々な分割パスＴＰ１〜ＴＰ３との間に、この場合、エクストラクタ構成用の異なる位置決めを設けることができる。そのようにして、アンテナ接続部と第１のデュプレクサとの間に、例えば、３つまでのエクストラクタ構成を位置Ｆ、Ｇ及びＨに設けることができる。第１のデュプレクサＤＰＸ１と第２のデュプレクサＤＰＸ２との間に、これらから独立して、３つまでのエクストラクタ構成を位置Ａ、Ｂ及びＣに設けることができる。異なるエクストラクタ構成は、異なるエクストラクタ帯域の抽出用に動作する。好適には、３つのエクストラクタ構成のうちの第１のエクストラクタ構成は、帯域３０及び／又は帯域４０を含む。
【００７４】
更なるエクストラクタ構成は、第２のダイプレクサＤＰＸ２の出力と接続することができ、例えば、第２のダイプレクサのローパスの出力における位置Ｄ又は第２のダイプレクサＤＰＸ２のハイパスの出力における位置Ｅである。１つ以上のエクストラクタ構成の位置決めの異なる選択肢によって、ダイプレクサの通過領域は、様々に組み合わせることができ、異なる帯域は、必要に応じてフィルタ処理して除去されるか又は分離される。
【００７５】
点線により囲まれた部分構造は、任意選択的である。すなわち、第１のダイプレクサＤＰＸ１がないフロントエンドモジュール及び可能な場合に上流側に接続されたエクストラクタ構成もまた、本発明によるものであると見なされる。
【００７６】
図５Ａは、本発明によるフロントエンドモジュールの部分である構成の一部を示す。この場合、第１のエクストラクタ構成ＥＡ１は、アンテナ接続部ＡＴと第１のデュプレクサＤＰＸ１との間に配置されている。これは、更なる要素がアンテナ接続部と第１のエクストラクタ構成との間又は第１のデュプレクサとフロントエンドモジュール若しくはモバイル通信装置の送受信部との間に配置されていることを除外しない。
【００７７】
この実施例では、アンテナ接続部ＡＴを介して、１４２５ＭＨｚ〜２６９０ＭＨｚ又は１７１０ＭＨｚ〜２６９０ＭＨｚの信号は、Ｇａｌｉｌｅｏ、Ｂｅｉｄｏｕ、Ｇｌｏｎａｓｓ若しくはＧＰＳ（ＧＮＳＳ）又は帯域１１、２１及び３２用の１５５９ＭＨｚ〜１６０５ＭＨｚの周波数を伝送すべきか又はフィルタ処理して除去すべきかに応じて、伝送される。
【００７８】
帯域３２Ｒｘ用のフィルタは、自動的に帯域１１Ｒｘを含むが、その一方で、狭い帯域２１Ｒｘは、帯域１１の上方に直接接続するため、対応するより広いフィルタは、帯域２１Ｒｘもまた同時に含むことができ、したがって、これは、常に選択肢を示している。第１のエクストラクタ構成ＥＡ１は、抽出パスに２１１０ＭＨｚ〜２２００ＭＨｚの抽出帯域を有する。それに対応して、バンドパスフィルタは、第１の抽出パスＥＰ１にこの周波数領域用に設定されており、対応する通過帯域を有する。
【００７９】
第１のエクストラクタ構成ＥＡ１の遮断領域は、ローパスの右端部が２０２５ＭＨｚで終端するように第１のダイプレクサＤＰＸ１を構成することを可能にする。それに対応して、ハイパスは、２３００ＭＨｚで伝送を開始し、２６９０ＭＨｚまでの周波数領域を第２の分割パスＴＰ２に配分することができる。第１の抽出パスＥＰ１に配分された抽出帯域は、すべて２１１０ＭＨｚ〜２２００ＭＨｚに存在する帯域１、帯域４及び帯域６５／６６のＲＸ帯域を含む。
【００８０】
図５Ｂは、図５Ａの構成において、アンテナ接続部ＡＴと第１の分割パスＴＰ１との間、アンテナ接続部ＡＴと第２の分割パスＴＰ２との間又はアンテナ接続部ＡＴと抽出パスＥＰ１との間で伝送することができる信号に関する伝送曲線を示す。この場合にもまた再び、低帯域及び中帯域用の第１の分割パスＴＰ１と、第２の分割パスＴＰ２に伝送された高帯域に対する間の良好な分離が明らかである。第１の抽出パスＥＰ１に抽出することができる抽出帯域は、それらから完全に分離されている。抽出帯域に関する伝送曲線は、エクストラクタ構成のバンドパスフィルタに基づいてバンドパスフィルタ特性を有する。
【００８１】
図６は、どの周波数領域又は帯域がエクストラクタ構成を使用して容易な手法で信号パスから分離することができるのかという表を示す。エクストラクタ構成を備えたフロントエンドモジュールにおいて一緒に抽出することができる帯域の２要素組み合わせを示す。その際、エクストラクタ構成のうちの１つは、２１１０ＭＨｚ〜２２００ＭＨｚの周波数領域をカバーしている。その周波数領域内に、帯域１、４及び６６のＲＸ帯域が存在する。第２のエクストラクタ構成は、Ｇｌｏｎａｓｓ（ＧＮＳＳ）用の周波数範囲、ＷＬＡＮ２．４、帯域３０及び／又は帯域４０用の周波数帯域３２のＲＸ周波数又は１４２５ＭＨｚ〜１５１１ＭＨｚの周波数を含む低中帯域をカバーすることができる。
【００８２】
図７は、２つの例示的なエクストラクタ構成が、この場合は帯域１／４／６５／６６のＲＸ周波数用及び１５５９ＭＨｚ〜１６０５ＭＨｚの周波数（ＧＮＳＳ）用に、図４のフロントエンドモジュールにおいて様々な可能な位置にどのように分配することができるのかを提示する表を示す。エクストラクタ構成がアンテナ接続部と第１のデュプレクサとの間で位置Ｆ及びＧに、並びに第１のダイプレクサと第２のダイプレクサとの間で位置Ａ及びＢに、並びに第２のデュプレクサＤＰＸ２のローパスの出力において位置Ｄに配置することができることが示される。
【００８３】
図８は、第１及び第２のデュプレクサＤＰＸ１及びＤＰＸ２の通過領域用の４つの可能な構成を、それらの構成が図６及び図７に従って選択されたエクストラクタ組み合わせに対して図４に概略的に図示されたフロントエンドモジュールにどのように組み込むことができるのかを提示する。４つの変形形態ａ、ｂ、ｃ及びｄのすべてについて、低帯域は、第１のデュプレクサのローパスＬＰにおいて９６０ＭＨｚで終端する。第１のデュプレクサのハイパス出力に隣接する信号は、ａの場合には１４２５ＭＨｚ、ｂの場合には１４５０ＭＨｚ、ｃの場合には１５５９ＭＨｚ、そしてｄの場合には１７１０ＭＨｚで開始する。第２のデュプレクサのローパスＬＰは、ａ〜ｄのすべての場合に１９９５ＭＨｚの上限において又は２０２５ＭＨｚにおいて終端する。第２のデュプレクサＤＰＸ２のハイパスＨＰは、≧２３００ＭＨｚの周波数の信号を４つのすべてのダイプレクサ組み合わせａ〜ｄにおいて通過させることができる。
【００８４】
図９は、本発明によるフロントエンドモジュールにおいて３つの異なる帯域用の３つの異なるエクストラクタ構成を様々な位置にどのように位置決めすることができるのかという可能な組み合わせを示す。エクストラクタ構成のうちの１つは、帯域６６のＲｘ周波数を抽出用に作動する。更なるエクストラクタ構成により、ＧＮＳＳ、ＷＬＡＮ２．４、帯域３０／帯域４０、帯域３２及びＬＭＢから互いに独立に選択される、２つの更なる帯域が抽出される。追加の２つの帯域の選択に対して、異なる１０とおりの選択肢がある。
【００８５】
図１０Ａは、本発明によるフロントエンドモジュールの部分である構成の一部を示す。この場合、図５Ａと類似して、第１のエクストラクタ構成ＥＡ１は、アンテナ接続部ＡＴと第１のデュプレクサＤＰＸ１との間に配置されている。これは、更なる要素がアンテナ接続部と第１のエクストラクタ構成との間又は第１のデュプレクサとフロントエンドモジュール若しくはモバイル通信装置の送受信部との間に配置されていることを除外しない。
【００８６】
この実施例では、アンテナ接続部ＡＴを介して、１４２５ＭＨｚ〜２６９０ＭＨｚ又は１４２５ＭＨｚ（１７１０ＭＨｚ）〜２６９０ＭＨｚの信号は、Ｇａｌｉｌｅｏ、Ｂｅｉｄｏｕ、Ｇｌｏｎａｓｓ若しくはＧＰＳ（ＧＮＳＳ）用又は帯域１１、２１及び３２用のうちの少なくとも１つの周波数を伝送すべきか又はフィルタ処理して除去すべきかに応じて、伝送される。第１のエクストラクタ構成ＥＡ１は、抽出パスに２３００ＭＨｚ〜２４００ＭＨｚのエクストラクタ帯域を配分する。それに対応して、バンドパスフィルタは、第１の抽出パスＥＰ１にこの周波数領域用に設定されており、対応する通過帯域を有する。
【００８７】
第１のエクストラクタ構成ＥＡ１の遮断領域は、ローパスの右端部が２２００ＭＨｚで終端するように第１のダイプレクサＤＰＸ１を構成することを可能にする。それに対応して、ハイパスは、２４９６ＭＨｚで伝送を開始し、２６９０ＭＨｚまでの周波数領域を第２の分割パスＴＰ２に配分することができる。第１の抽出パスＥＰ１に配分された抽出帯域は、両方とも２３００ＭＨｚ〜２４００ＭＨｚに存在する帯域３０及び／又は帯域４０の周波数を含む。
【００８８】
図１０Ｂは、図５Ａの構成において、アンテナ接続部ＡＴと第１の分割パスＴＰ１との間、アンテナ接続部ＡＴと第２の分割パスＴＰ２との間又はアンテナ接続部ＡＴと抽出パスＥＰ１との間で伝送することができる信号に関する伝送曲線を示す。この場合にもまた再び、低帯域及び中帯域用の第１の分割パスＴＰ１と、第２の分割パスＴＰ２に伝送された高帯域に対する間の良好な分離が明らかである。第１の抽出パスＥＰ１に抽出することができる抽出帯域は、それらから完全に分離されている。抽出帯域に関する伝送曲線は、エクストラクタ構成のバンドパスフィルタに基づいてバンドパスフィルタ特性を有する。
【００８９】
図１１Ａは、図４に概略的に図示されたようなフロントエンドモジュールにおいて、３つのエクストラクタ構成を図９に記載の例示的な３帯域組み合わせ７番用に配置する、８つの様々な選択肢を表を用いて示す。８つの異なる構成はすべて、第１及び第２のデュプレクサ間に存在する、Ｒｘ帯域６５／６６用の常に利用可能なエクストラクタ構成を位置Ａに残したままであることが、共通している。
【００９０】
フロントエンドモジュールにわたってエクストラクタ構成をこのように分配するためにもまた、図８に提示したように、デュプレクサが構成される。
【００９１】
図１１Ｂは、組み合わせ７番による３つのエクストラクタ構成の組み合わせに関する８つの更なる構成選択肢を表を用いて示す。この８つの変形形態すべては、帯域６６Ｒｘ用のエクストラクタ構成が位置Ｆに配分されていることが共通しており、これは、アンテナ接続部ＡＴと第１のデュプレクサＤＰＸ１との間を意味する。
【００９２】
このエクストラクタ構成のこの位置決め用にもまた、図８に提示したように、デュプレクサが構成される。
【００９３】
図１１Ｃは、フロントエンドモジュールにおいて、例えば、２つのダイプレクサ間に配置することができる、ＧＮＳＳ、帯域１Ｒｘ及びＷＬＡＮ２．４用の３つのエクストラクタ構成を用いて、どのようにヘキサプレクサを得ることができるのかを、シミュレーション通過曲線に基づいて示し、ヘキサプレクサは、６つの様々な周波数領域、
１．６９９〜９６０ＭＨｚの低帯域
２．１５７５ＭＨｚのＧＮＳＳ
３．帯域６６（帯域１）のＲｘ帯域
４．１７１０ＭＨｚ（又は１４２５ＭＨｚ）〜１９９０ＭＨｚの中帯域ＭＢ
５．ＷＬＡＮ２．４ＭＨｚ
６．２３００ＭＨｚ〜２３８０ＭＨｚ又は２５１０ＭＨｚ〜２６９０ＭＨｚの高帯域ＨＢを、互いに正確に分離する。
【００９４】
この場合もまた、中帯域ＭＢと高帯域ＨＢとを互いに分離するダイプレクサに対する要求は、ダイプレクサ間隔をより広げ、１９９５ＭＨｚ（又は２０２５ＭＨｚ）〜２３００ＭＨｚに調整することができることによって、単純化されている。
【００９５】
図１２は、任意の数のエクストラクタ構成を備えたフロントエンドモジュールを設け、その際、動作モードに対して１つ以上のエクストラクタ構成を必要としないとき、不要な損失を考慮する必要がない選択肢を示す。そのために、エクストラクタ構成の前方の信号線内のノードをエクストラクタ構成の後方のノードと短絡し、そのようにしてノッチフィルタをバイパスする、バイパスパスＵＥＰが設けられる。バイパスパスＵＥＰには、バイパスパスを有効化又は無効化することができるスイッチＳＷが配置されている。スイッチＳＷを閉鎖した場合には、エクストラクタ構成は、無効であるが、その一方で、スイッチＳＷを開放した場合には有効であり、対応するエクストラクタ帯域を抽出パスＥＰを介して抽出する。したがって、すべての実施例では、エクストラクタ構成は、そのようなバイパスパスＵＥＰにより、バイパスパスが対応する図に図示されていない場合であっても、任意選択的にバイパスすることができる。
【００９６】
このようにして、それぞれの動作モード用に、特に特定のキャリアアグリゲーションモード用に必要とされるエクストラクタ構成を正確に有効に切り替えることが可能である。
【００９７】
図１３は、ブロック回路の概略図に基づいて、フロントエンドモジュールを本発明の更なる実施例により示す。このモジュールでは、アンテナ接続部ＡＴは、第１のデュプレクサＤＰＸ１と接続されている。アンテナは、少なくとも６９９ＭＨｚ〜２６９０ＭＨｚの周波数用に設定されている。第１のデュプレクサは、ハイパス−ローパス組み合わせを含み、ローパスは、６９９ＭＨｚ〜９６０ＭＨｚの周波数領域を分離する。ハイパスは、１７１０ＭＨｚ〜２６９０ＭＨｚの周波数を分離し、その周波数を第２の分割パスに配分する。第２の分割パスには、帯域６５／６６Ｒｘ又は２１１０〜２２００ＭＨｚの周波数の抽出用に設定されている、第１のエクストラクタ構成ＥＡ１が挿入されている。第１のエクストラクタ構成ＥＡ１は、図１２のようなバイパスパス（図示せず）を設けることができる。
【００９８】
更に、エクストラクタ構成ＥＡ１の後方の第２の分割パスには、この場合もまた２つの周波数分割領域を分離するためにハイパス−ローパス組み合わせを含む、第２のデュプレクサＤＰＸ２が続く。その際、ローパスは、１４２５ＭＨｚ〜２０２５ＭＨｚの信号を分離し、その信号を第１のアンテナスイッチＡＳ１に配分する。ハイパスの出力では、２３００ＭＨｚ〜２６９０ＭＨｚの周波数は、信号出力され、第２のアンテナスイッチＡＳ２に伝達される。
【００９９】
第１のデュプレクサＤＰＸ１におけるローパスの出力は、これらの信号を低帯域領域の様々な帯域に分離する第３のアンテナスイッチＡＳ３と接続される。
【０１００】
全体構成は、クアドプレクサと見なすことができ、クアドプレクサでは、信号を４つの様々な帯域範囲、すなわち、低帯域領域、中帯域領域及び高帯域領域から互いに独立に分離することができ、第４の範囲は、単一の帯域としてエクストラクタ構成を介して分離される。
【０１０１】
このフロントエンドモジュールの変形形態では、第１のデュプレクサＤＰＸ１を省略することができるため、アンテナ接続部ＡＴは、第１のエクストラクタ構成ＥＡ１と直接接続されている。その場合、残りのユニットは、中帯域、高帯域及び帯域６６用のトリプレクサを形成する。これは、点線で囲まれた範囲内の任意選択的な要素を持たない図１３に図示された構成に相当する。
【０１０２】
アンテナスイッチＡＳ１、ＡＳ２及びＡＳ３は、それぞれ双方向に送信信号及び受信信号用に使用することができるそれぞれ少なくとも１つの帯域チャネルと、それぞれの信号パス又は分割パスを接続するために使用される。それぞれの帯域チャネルには、フィルタ装置が設けられている。
【０１０３】
本発明に実施例では、それぞれ１つの帯域チャネルに配置されている４つのデュプレクサが設けられている。第１のデュプレクサは、帯域２のＲＸ／ＴＸ分離用に作動する。更なるデュプレクサは、帯域３のＲＸ／ＴＸ分離用に作動する。更に、ＴＸフィルタ及びＲＸフィルタが異なる帯域に割り当てられている、２つの新規混合デュプレクサが設けられている。第１の混合デュプレクサは、例えば、帯域１用のＴＸフィルタを帯域３用のＲＸフィルタと一体化する。第２の混合デュプレクサは、帯域２のＲＸフィルタを帯域４のＴＸフィルタと組み合わせる。そのようにして、例えば、帯域２のＲＸ信号を未混合の帯域２のデュプレクサを介して又は混合デュプレクサを介してフィルタ処理して除去することが可能である。それに対応して、第１の混合デュプレクサ又は未混合の帯域３のデュプレクサを介してフィルタ処理して除去することができる、帯域３のＲＸ信号に当てはまる。帯域４におけるデュプレクサ処理は、デュプレクサを介さずに行われる。帯域４に対するＴＸ信号は、確かに第２の混合デュプレクサにおいて第１のアンテナスイッチＡＳ１に誘導されるが、帯域４のＲＸ信号は、それに対して、帯域４ＲＸの周波数もやはりまたカバーする第１の抽出パスを介して誘導される。帯域１に対するデュプレクサ処理は、類似して機能する。
【０１０４】
高帯域用の第２のアンテナスイッチＡＳ２に、更なる帯域チャネルが接続されており、例えば、帯域７及び帯域３０用のデュプレクサを選択的に切り替え可能である。
【０１０５】
当然ながら、更なる帯域チャネル及び対応するフィルタ要素を、低帯域用（アンテナスイッチＡＳ３）、中帯域用（アンテナスイッチＡＳ１）及び高帯域用（アンテナスイッチＡＳ２）のそれぞれのアンテナスイッチに接続することも可能である。
【０１０６】
図１３に図示されたフロントエンドモジュールにより、帯域１及び帯域３のＲＸ信号用の下りキャリアアグリゲーションモードは、両帯域が同じ帯域（中帯域）に位置しているにもかかわらず、可能である。低帯域及び高帯域は、別のパスを介して信号出力されるため、低帯域、高帯域を帯域１及び帯域３と組み合わせるキャリアアグリゲーションモードもまた可能である。そのような４倍キャリアアグリゲーションは、例えば、Ｂ２０、Ｂ１、Ｂ３及びＢ７の帯域において並列に動作することができる。
【０１０７】
帯域２５用に設定されたフィルタ又は帯域２５用に設定されたデュプレクサは、帯域６６用のＲＸフィルタが帯域４及び帯域１のＲＸ周波数をカバーするのと全く同様に、同時に帯域２の周波数をカバーするため、提示された構成により、異なる帯域のＲＸフィルタ及びＴＸフィルタを組み合わせる、例えば、帯域４ＴＸを帯域２ＲＸと、帯域４ＴＸを帯域２５ＲＸと、帯域６６ＴＸを帯域２ＲＸと又は帯域６６ＴＸを帯域２５ＲＸと組み合わせる、デュプレクサが実装可能である。未混合帯域２又は帯域２５デュプレクサと連携して、帯域２と帯域４、帯域２と帯域６６、帯域２５と帯域４又は帯域２５と帯域６６が同時に又は並列して動作される、ＲＸキャリアアグリゲーションモード方式が可能である。
【０１０８】
低帯域及び高帯域は、分離されるため、当然ながら、４つの帯域もまた、例えば、低帯域、帯域２５、帯域６６及び高帯域の帯域で、並列して動作可能である。特定の実施では、帯域５、帯域２５、帯域６６及び帯域３０用の下りキャリアアグリゲーションが促進される。
【０１０９】
図１４は、ダイプレクサ、エクストラクタ構成及び３つのアンテナスイッチＡＳ１、ＡＳ２及びＡＳ３に関して、図１３に図示された実施例に対応する、フロントエンドモジュールの更なる実施例を示す。第１のアンテナスイッチＡＳ１に接続された帯域チャネルのみが異なる。
【０１１０】
この実施例について、混合マイクロ弾性波トリプレクサをアンテナスイッチＡＳ２と接続して、そのようにしてそれぞれの帯域チャネルにおいてトリプレクサ処理を可能にできるようにすることが提案される。第１のトリプレクサは、例えば、帯域１ＴＸ／帯域３ＲＸ／帯域３２ＲＸ用のフィルタを含む。更なるマイクロ弾性波トリプレクサは、帯域１ＴＸ／帯域３ＲＸ／帯域３２ＲＸ用のフィルタを含む。この２つのトリプレクサ及び帯域６６（又は帯域１若しくは帯域４）用のエクストラクタ構成により、帯域１、帯域３及び帯域３２において並列に動作することができる、３つの受信帯域用のキャリアアグリゲーションモード方式が可能である。
【０１１１】
提案されたモジュールにより低帯域及び高帯域を分離することができるため、下りキャリアアグリゲーションモード様式もまた、少なくとも５つのＲＸ帯域において可能である。その際、例えば、低帯域領域内の帯域、帯域１、帯域３、帯域３２及び高帯域からの帯域は、組み合わせることができ、ＲＸにおいて並列して動作することができる。例えば、キャリアアグリゲーションモードは、帯域２０、帯域１、帯域３、帯域３２及び帯域７において可能である。
【０１１２】
図１５Ａによる実施例もまた、第１のアンテナスイッチＡＳ１に接続された帯域チャネル又は帯域チャネル内に含まれるフィルタ要素を除いて、図１３及び図１４による実施とは異なってはいない。図１４に図示した帯域チャネルに加えて、この場合、日本の帯域用又は日本で使用される帯域用の３つの新規混合デュプレクサが設けられる。
【０１１３】
第１の混合デュプレクサは、帯域１ＴＸ及び帯域１１と帯域２１ＲＸとの組み合わせを動作させる。最後に言及したＲＸフィルタは、帯域１１ＲＸ及び帯域２１ＲＸ用の互いに隣接するが重なっていない狭い周波数領域を含む。第２の新規混合デュプレクサは、帯域１ＴＸ及び帯域１１ＲＸを含む。第３の新規混合デュプレクサは、帯域１ＴＸ及び帯域２１ＲＸを含む。上述の３つの混合デュプレクサのそれぞれは、未混合帯域１１又は帯域２１デュプレクサ及び帯域６６用のエクストラクタ構成と連携して、ＲＸに関して帯域１と帯域１１用又は帯域１と帯域２１用のキャリアアグリゲーションモードを可能にすることができる。
【０１１４】
低帯域領域及び高帯域領域は、分離された信号パスにより第１のアンテナスイッチＡＳ１から分離されているため、当然ながら、低帯域領域の帯域及び帯域１及び帯域１１（帯域２１）と高帯域領域由来の高帯域とが組み合わされる、キャリアアグリゲーションモードもまた可能である。そのようにして、例えば、帯域１８、帯域１、帯域１１（及び／又は帯域２１）及び帯域７における動作が可能である、下りキャリアアグリゲーションモードが促進される。当然ながら、高帯域領域及び低帯域領域の別の帯域もまた、それに加えて代替的に、例えば、高帯域領域用の帯域３０を、組み合わせることができる。
【０１１５】
図１５Ｂによる実施例もまた、第１のアンテナスイッチＡＳ１に接続された帯域チャネル又は帯域チャネル内に含まれるフィルタ要素を除いて、図１３、図１４及び図１５Ａによる実施とは異なってはいない。
【０１１６】
アンテナスイッチＡＳ１に、Ｂ１−Ｔｘ又はＢ６５−Ｔｘ帯域を、帯域１１、帯域２１及びＢ３２をカバーする非常に広いＲｘ帯域（１４２７．９〜１５１０．９ＭＨｚ）と組み合わせる、新規混合デュプレクサが接続されている。それにより、Ｂ１−Ｔｘ又はＢ６５−Ｔｘ／Ｂ３−Ｒｘ／Ｂ３２Ｒｘトリプレクサは、簡易な混合デュプレクサＢ１−Ｔｘ又はＢ６５−Ｔｘ／Ｂ３−Ｒｘにより置き換えることができる。それにもかかわらず、未だに少なくとも以下の下りキャリアアグリゲーション事例がカバーされる。「セルラー中帯域」由来の２つの帯域の組み合わせは、（低帯域及び／又は高帯域由来の別の帯域を加えて）
ａ．）Ｂ１／Ｂ６５＋Ｂ３  ＣＡ
ｂ．）Ｂ１／Ｂ６５＋Ｂ３２  ＣＡ
ｃ．）Ｂ３＋Ｂ３２  ＣＡ
ｄ．）Ｂ１／Ｂ６５＋Ｂ１１  ＣＡ
ｅ．）Ｂ１／Ｂ６５＋Ｂ２１  ＣＡ
ｆ．）Ｂ２／Ｂ２５＋Ｂ４／Ｂ６６  ＣＡを含む。
【０１１７】
Ｂ１−（又はＢ６５−）Ｔｘ／Ｂ（１１＋２１＋３２）−ＲｘデュプレクサをＢ１−又はＢ６５−）Ｔｘ／Ｂ３−Ｒｘ／Ｂ（１１＋２１＋３２）−Ｒｘトリプレクサにより置き換えることもまた可能である。この場合、混合デュプレクサＢ１−Ｔｘ又はＢ６５−Ｔｘ／Ｂ３−Ｒｘは、省略することができる。
【０１１８】
上述した中帯域由来の２つの帯域のＣＡ組み合わせに加えて、この場合、「セルラー中帯域」由来の３つの帯域以下の組み合わせも更にまた可能であり、これに加えて当然ながら更に、低帯域及び高帯域由来の別の帯域を追加して組み合わせることができる。
ｇ）Ｂ１＋Ｂ３＋Ｂ３２  ＣＡ
【０１１９】
図１５Ｃによる実施例もまた、第１のアンテナスイッチＡＳ１に接続された帯域チャネル又は帯域チャネル内に含まれるフィルタ要素を除いて、図１３、図１４、図１５Ａ及び図１５Ｂによる実施とは異なってはいない。この場合、以下の相違は、図１５Ｂによる実施例との比較において見られる。
【０１２０】
Ｂ３−Ｔｘ／Ｂ３−Ｒｘ／Ｒ３２−Ｒｘトリプレクサは、通常のＢ３−Ｔｘ／Ｂ３−Ｒｘデュプレクサ及びＢ３２−Ｒｘ単一フィルタにおいて分割されるか、又は、トリプレクサは、それぞれ移相発振器が上流側に配置されている、この言及されたフィルタ要素によって置き換えられる。Ｂ３デュプレクサ及びＢ３２フィルタは、必要に応じてのみ相互接続される。この場合には、アンテナスイッチＡＳ１は、Ｂ３デュプレクサ及びＢ３２フィルタが同時にアンテナスイッチＡＳ１の入力と接続されている状態を促進しなければならない。この状態では、移相器は、相互接続が低い挿入損失を伴って可能となるように、対抗帯域インピーダンス（すなわち、それぞれの対抗帯域におけるそれぞれのフィルタ／デュプレクサのインピーダンス）をそれぞれ保証するように動作する。
【０１２１】
更に、アンテナスイッチＡＳ１は、その出力によりＢ３デュプレクサ及びＢ３２フィルタと個別に接続することができる。
【０１２２】
この構成では、上述したＣＡ事例ａ〜ｆを（図１５Ｂに記載したように）カバーするために、デュプレクサ及び単一フィルタのみが必要とされる。
【０１２３】
更なるフロントエンドモジュールの実施例は、図１６に図示されている。この実施もまた、アンテナスイッチまでは、図１３〜図１５に記載の実施例と異なっていない。この実施形態は、２つの新規マイクロ弾性波トリプレクサを特徴とする。第１のトリプレクサは、帯域１ＴＸを帯域３ＴＸ及び帯域３ＲＸと組み合わせる。第２の新規トリプレクサは、帯域２Ｔｘ（又は帯域２５Ｔｘ）を帯域４Ｔｘ（又は帯域６６Ｔｘ）と帯域２Ｒｘ（又は帯域２５ＲＸ）と組み合わせる。
【０１２４】
帯域１、帯域４又は帯域６６のＲｘ帯域を信号パスから抽出するエクストラクタ構成と連携して、これらの２つのトリプレクサは、ＣＡ組み合わせ帯域１（又は帯域６６）及び帯域３用、更にまたＣＡ組み合わせ帯域２（又は帯域２５）及び帯域４（又は帯域６６）用の上り及び下りキャリアアグリゲーションモードを可能にする。更に、低帯域領域及び高帯域領域は、別の信号パスを介して信号出力されるため、追加的にそれぞれ、これらの２つの領域由来の帯域を、それに加えて組み合わせることが可能である。
【０１２５】
そのようにして、例えば、低帯域の帯域を帯域１（帯域６５）、帯域３及び高帯域の帯域と組み合わせること、あるいは低帯域の帯域を帯域４（帯域６６）及び帯域２（帯域２５）と高帯域領域由来の帯域と連携して動作させることが可能である。例示的な帯域組み合わせは、例えば、帯域２０／帯域１／帯域３／帯域７又は帯域１２／帯域４（帯域６６）／帯域２／（帯域２５）／帯域３０である。すべての事例は、下り及び上りキャリアアグリゲーションモードに適している。
【０１２６】
図１７に図示した実施例もまた、第１のアンテナスイッチＡＳ１に接続された帯域チャネル又はそこに含まれるフィルタ要素によってのみ異なっている。帯域チャネルでは、帯域１ＴＸ／帯域３ＴＸ／帯域３ＲＸ及び帯域３２ＲＸ用のフィルタ要素を含む、新規マイクロ弾性波クアドプレクサが配置されている。このクアドプレクサを帯域６６又は帯域１又は帯域４用のエクストラクタ構成と連携して作動させた場合には、帯域１、帯域３及び帯域３２用の上り及び下りキャリアアグリゲーションモードが可能であり、帯域３２は、未混合Ｒｘ帯域である。
【０１２７】
低帯域領域及び高帯域領域が分離されているため、提案されたフロントエンドモジュールにより、追加的にそれぞれ更に、低帯域領域及び高帯域領域由来の帯域は、組み合わせ可能であり、例えば、帯域２０／帯域１／帯域３／帯域３２／帯域７由来の帯域組み合わせである。図１７に示すように、新規クアドプレクサの他に、それに加えて更に、既に図１６に記載した帯域２ＴＸ／帯域４ＴＸ及び帯域２ＲＸを伴うトリプレクサが必須である。
【０１２８】
図１８Ａは、本発明によるフロントエンドモジュールがダイバーシティアンテナＤＡＴと接続することができ、ダイバーシティアンテナと連携して未混合受信動作用に形成することができる実施例を示す。アンテナスイッチを含むハードウェアコンポーネント用に、図１３〜図１７に基づいて既に実施例に記載されたように、同様の構成を利用することができる。しかしこの場合、前述の実施とは異なり、アンテナスイッチと、もはや未混合受信フィルタ要素だけが接続されており、この実施例は、ダイバーシティモジュールのアンテナスイッチの後方に配置され、２つの異なる帯域の受信フィルタを組み合わせる新規ダイプレクサを特徴とする。これに加えて、中帯域領域用の第１のアンテナスイッチＡＳ１と共に、帯域１ＲＸ及び帯域３２ＲＸ用のフィルタを組み合わせる、ダイプレクサ処理されるダイバーシティ受信フィルタが提案される。このダイプレクサ処理されるダイバーシティ受信フィルタは、帯域６６／帯域４／帯域１用のエクストラクタ構成と連携して、ダイバーシティアンテナにおいて動作することができる、帯域３及び帯域３２を伴う帯域１用の未混合受信キャリアアグリゲーションを可能にする。
【０１２９】
低帯域領域及び高帯域領域は、それらから分離された信号パスと分離されているため、ダイバーシティアンテナＤＡＴにより、それぞれ更に、２つの更なる帯域を並列に、それに加えて動作させることができ、それぞれの帯域は、低帯域領域由来及び高帯域領域由来である。ダイバーシティモード用の例示的な帯域組み合わせは、帯域２０、１、３、３２及び７を含む。
【０１３０】
更に図１８Ｂに示したダイバーシティアンテナＤＡＴ用のアンテナスイッチを備えたフロントエンドモジュールは、第１のアンテナスイッチＡＳ１において、帯域３ＲＸ及び帯域２１ＲＸ用のフィルタ要素を組み合わせる、新規マイクロ弾性波ダイプレクサ処理されるダイバーシティ受信フィルタを有する。帯域６６／帯域１／帯域４を抽出することができるエクストラクタ構成と連携して、このダイプレクサ処理されるダイバーシティ受信フィルタにより、帯域２１、Ｂ３及びＢ１用の未混合受信キャリアアグリゲーションモードは、ダイバーシティアンテナにおいて可能となる。分離された低帯域領域及び高帯域領域により、それぞれ更に、低帯域領域及び高帯域領域の受信帯域は、それに加えて組み合わせることができる。この場合、例えば、提示されたフロントエンドモジュールを、帯域１９、２１、３、１及び７を同時に促進するキャリアアグリゲーション受信モード用のダイバーシティアンテナにおいて、強化することが可能である。
【０１３１】
ダイバーシティアンテナＤＡＴと接続可能なフロントエンドモジュールに関する更なる実施例が、図１９に図示されており、その実施例は、この場合もまた、第１のアンテナスイッチＡＳ１と接続されたフィルタ要素によってのみ、図１８Ａ及び図１８Ｂに記載の実施と異なっている。これに加えて、第１のアンテナスイッチＡＳ１と、マイクロ弾性波トリプレクサ処理されるダイバーシティ受信フィルタが接続される。このダイバーシティフィルタは、帯域３２／帯域２１／帯域３用のダイバーシティ入力フィルタを含む。帯域６６／帯域１／帯域４用のエクストラクタ構成と連携して、未混合受信キャリアアグリゲーションは、ダイバーシティアンテナにおいて可能となるため、共通受信動作は、帯域２１及び３及び１において又は帯域３２及び１において又は帯域１及び１１において可能である。加えて、低帯域領域及び高帯域領域由来のそれぞれの受信フィルタにより、例えば、ダイバーシティアンテナＤＡＴにおいて、帯域２０、３２、３、１及び７又は代替的にＢ１９、Ｂ２１、Ｂ３、Ｂ１及びＢ７の同時動作用のキャリアアグリゲーションモードが可能である。
【０１３２】
図１３〜図１９に記載の前述の実施例に示したフロントエンドモジュールがそれぞれ帯域６６又は４又は１用のエクストラクタ構成を有している一方で、以下では、エクストラクタ構成を帯域４０（又は帯域３０）の抽出用に含むフロントエンドモジュールについて説明する。
【０１３３】
図２０は、帯域４０エクストラクタ構成の、ＧＮＳＳ、ＷＬＡＮ２．４、帯域６６、帯域３２又はＬＭＢ由来の帯域用に選択的に設定されている少なくとも１つの更なるエクストラクタ構成との、様々な組み合わせ選択肢を含む表を示す。
【０１３４】
図２１は、図２０において言及した帯域４０用のエクストラクタ構成及びＧＮＳＳ由来の組み合わせ１７が、図４の概略的フロントエンドモジュールによるエクストラクタ位置を介してどのように分離することができるのかを、例示的に示す。帯域４０用のエクストラクタ構成に対して、第１のダイプレクサＤＰＸ１の前の位置Ａのみ及び第１のダイプレクサと第２のダイプレクサＤＰＸ２との間の位置Ｆのみが可能である一方で、ＧＮＳＳ用のエクストラクタ構成は、ほぼすべてのエクストラクタ位置に配置することができる。
【０１３５】
図２２は、帯域４０、ＧＮＳＳ及びＷＬＡＮ２．４用の３つの異なるエクストラクタ構成が、図４に記載のエクストラクタ位置を介してフロントエンドモジュールにおいてどのように分配することができるのかという、８つの選択肢を示す。そのような３要素組み合わせについて、帯域４０エクストラクタを第１及び第２のダイプレクサＤＰＸ１／ＤＰＸ２間に、すなわち、例えば、位置Ａに配置することが、有利である。
【０１３６】
帯域４０を含むエクストラクタ組み合わせにより、デュプレクサの周波数領域は、帯域４０エクストラクタとは無関係に新規に構成することができる。
【０１３７】
図２３は、ダイプレクサ１及び２のローパス及びハイパスの通過領域をどのように調整することができるのかという４つの選択肢を示す。４つの選択肢ａ、ｂ、ｃ及びｄのすべてについて、第１のダイプレクサのローパスは、９６０ＭＨｚより上方を遮断する。第１のダイプレクサＤＰＸ１のハイパスは、実施ａによれば１４２５ＭＨｚ、実施ｂによれば１４４７ＭＨｚ、実施ｃによれば１５５９ＭＨｚ又は実施ｄによれば１７１０ＭＨｚで開始する通過帯域を有する。すべての実施ａ〜ｄにおいて、第２のデュプレクサＤＰＸ２のローパスは、２１７０ＭＨｚの周波数から遮断するが、その一方で、そのハイパスは、≧２４９６ＭＨｚの周波数に対して通過させる。
【０１３８】
図２４は、更にそれらとは異なる、図４に記載のエクストラクタ位置を介するエクストラクタ組み合わせＧＮＳＳ／ＷＬＡＮ２．４／帯域４０用の構成選択肢を示す。
【０１３９】
これらの提案された構成の共通する特徴として、帯域４０用のエクストラクタがアンテナ接続部と第１のダイプレクサとの間の位置に合理的に位置決めされることが、結果として生じる。２つのそれ以外のエクストラクタ構成は、それ以外のエクストラクタ位置を介してほぼ自由に分配することができる。この分配についてもまた、ダイプレクサは、図２３に記載の周波数領域に関して構成される。
【０１４０】
図２５は、１つのダイプレクサ及び１つのエクストラクタ構成を備えたフロントエンドモジュールを示す。第１のアンテナ接続部ＡＴ１は、ローパスフィルタを介して９６０ＭＨｚまでの低帯域領域を分離する、第１のダイプレクサＤＰＸ１と接続されている。第１のダイプレクサのハイパスフィルタは、特に１４２５ＭＨｚ〜２２００ＭＨｚの中帯域領域の分離用に設定されている。ハイパスと第１のアンテナスイッチＡＳ１との間に、帯域６６Ｒｘ又は帯域１、４及び６５Ｒｘに対応する抽出帯域を信号パスから抽出することができるエクストラクタ構成が設けられている。エクストラクタ構成ＥＡ１は、バイパスパスが任意選択的に設けられており、バイパスパスを用いてエクストラクタ構成を無効化することができる。
【０１４１】
エクストラクタ構成の後方に第１のアンテナスイッチＡＳ１が配置されており、その出力は、２つの特定のトリプレクサと接続することができる。第１のトリプレクサは、帯域６６（帯域１）用のＴＸフィルタ、帯域３用のＲＸフィルタ及び帯域３２用のＲＸフィルタを組み合わせる。第２のトリプレクサは、帯域３用のＴＸフィルタを帯域３２用のＲＸフィルタ及び帯域３用のＲＸフィルタと組み合わせる。
【０１４２】
更に、アンテナスイッチＡＳ１の出力と、帯域６６／４用のＴＸフィルタを帯域２（帯域２５）用のＲＸフィルタと接続する混合デュプレクサが接続されている。ダイプレクサのこの組み合わせ並びに第１のアンテナスイッチＡＳ１と接続されたトリプレクサ及びデュプレクサにより、提案されたフロントエンドモジュールは、帯域Ｂ１／Ｂ６５、Ｂ３、Ｂ７及びＢ３２が並列に有効化されている４倍下りキャリアアグリゲーションモードを促進することができる。更に促進された４帯域用のキャリアアグリゲーションモードは、そのためにクアドプレクサ又はヘキサプレクサを必要とすることなく、帯域１２（又は帯域５又は帯域２９）、帯域２（又は帯域２５）、帯域６６／４及び帯域３０を含む。
【０１４３】
第１のアンテナと接続可能な第１のアンテナ接続部ＡＴ１の他に、モジュールは、第２のアンテナと接続可能な第２のアンテナ接続部ＡＴ２を更に有する。第２のアンテナは、２３００ＭＨｚ〜２６９０ＭＨｚの周波数領域用に設定されており、任意選択的に５ＧＨｚ領域まで受信することができる。ローパスを介して高帯域領域を分離し、第２のアンテナスイッチＡＳ２に誘導する第２のダイプレクサＤＰＸ２は、第２のアンテナと接続されている。この高帯域は、２３００ＭＨｚ〜２６９０ＭＨｚの周波数領域用に設定されている。第２のダイプレクサの代わりに、トリプレクサを第２のアンテナに接続することもまた可能である。その場合には、このトリプレクサは、トリプレクサが上述した周波数領域の高帯域の他に、これに加えて更に、超高帯域及び５ＧＨｚ領域を分離するように設定することができる。
【０１４４】
第２のアンテナスイッチＡＳ２の出力により更に、帯域３０及び帯域７用の従来の非混合デュプレクサが接続されている。
【０１４５】
第２のダイプレクサＤＰＸ２のハイパスでは、３ＧＨｚ周波数領域（任意選択的に５ＧＨｚまで）が分離される。この周波数領域を省略できるとき、第２のアンテナスイッチは、第２のアンテナ接続部ＡＴ２と直接接続することができ、点線がこの任意選択的なコンポーネントを囲んでいるように、第２のダイプレクサＤＰＸ２を省略することができる。
【０１４６】
図２６は、フロントエンドモジュールが２つの異なるアンテナと接続可能な２つのアンテナ接続部ＡＴ１及びＡＴ２を含む、本発明の更なる実施例を示す。第１のアンテナ又は第１のアンテナ接続部ＡＴ１は、６９９ＭＨｚ〜２１７０ＭＨｚの信号を供給するために設定されている。第１のダイプレクサＤＰＸ１のローパスにより、６９９ＭＨｚ〜９６６ＭＨｚの低帯域領域は、分離され、第３のアンテナスイッチＡＳ３に伝達される。
【０１４７】
第１のダイプレクサＤＰＸ１のハイパスは、１４２５ＭＨｚ〜２０２５ＭＨｚの周波数領域を分離し、その周波数領域を第１のアンテナスイッチＡＳ１に伝達する。
【０１４８】
第２のアンテナと接続可能な第２のアンテナ接続部は、２３００ＭＨｚ〜２６９０ＭＨｚの周波数を供給するために設定されている。第２のアンテナ接続部ＡＴ２と第２のアンテナスイッチＡＳ２との間に、帯域１／４／６５／６６Ｒｘの抽出用に設定されている、エクストラクタ構成が設けられている。第２のアンテナスイッチＡＳ２と、高帯域領域の帯域用の非混合デュプレクサ、例えば、帯域３０及び帯域７用のデュプレクサが接続されている。
【０１４９】
第１のアンテナスイッチＡＳ１の出力と、２つの特定のトリプレクサが接続されており、そのうち第１のトリプレクサは、帯域１／６５用のＴＸフィルタを帯域３用のＲＸフィルタ及び帯域３２用のＲＸフィルタと組み合わせる。第２のトリプレクサは、帯域３用のＴＸフィルタを帯域３用のＲＸフィルタ及び帯域３２用のＲＸフィルタと組み合わせる。
【０１５０】
第１のアンテナスイッチＡＳ１における混合デュプレクサは、帯域４（帯域６６）用のＴＸフィルタを帯域２（帯域２５）用のＲＸフィルタと組み合わせる。同様に第１のアンテナスイッチＡＳ１に、未混合帯域２（帯域２５）デュプレクサが連結されている。この特定のトリプレクサ及び特定のデュプレクサにより、帯域１、３、７及び３２を並列に動作することができる、４倍下りキャリアアグリゲーションモードが可能である。あるいは、帯域１２（又は５又は２９）、２、４及び３０は、そのためにセル方式クアドプレクサ又はヘキサプレクサを必要とすることなく、並列に動作することができる。
【０１５１】
任意選択的な拡張部には、第２のアンテナ接続部ＡＴ２と第１のエクストラクタ構成ＥＡ１との間に、３ＧＨｚ〜５ＧＨｚの周波数領域を分離するダイプレクサが設けられている。
【０１５２】
図２７に記載のフロントエンドモジュールは、帯域６６及び帯域３２のＲＸ周波数の抽出用に設定されている、２つのエクストラクタ構成を有する。
【０１５３】
フロントエンドモジュールは、６９９ＭＨｚ〜２６９０ＭＨｚの周波数を供給することができるアンテナ接続部ＡＴを、ローパスにおいて６９９ＭＨｚ〜９６０ＭＨｚの低帯域を分離する第１のダイプレクサＤＰＸ１と接続する。第１のダイプレクサＤＰＸ１のハイパスの出力では、１４２５ＭＨｚ〜２６９０ＭＨｚの周波数が信号出力される。第１のダイプレクサＤＰＸ１と接続されたこの信号パスの範囲内に、この場合、２つのエクストラクタ構成ＥＡ１及びＥＡ２が配置されている。ローパスにおいて１４２５ＭＨｚ〜２０２５ＭＨｚの中帯域の周波数を分離し、第１のアンテナスイッチＡＳ１に配分する第２のダイプレクサＤＰＸ２が、エクストラクタ構成に接続する。第２のダイプレクサＤＰＸ２のハイパスでは、２３００ＭＨｚ〜２６９０ＭＨｚの高帯域が信号出力され、第２のアンテナスイッチＡＳ２に伝達される。
【０１５４】
第１のアンテナスイッチＡＳ１の出力と、２つの新規混合デュプレクサが結合されている。第１の混合デュプレクサは、帯域１／６５用のＴＸフィルタを帯域３用のＲＸフィルタと組み合わせる。第２の混合デュプレクサは、帯域４／６６用のＴＸフィルタを帯域２（帯域２５）用のＲＸフィルタと組み合わせる。更に、第１のアンテナスイッチＡＳ１と、帯域２（帯域２５）及び帯域３用の未混合デュプレクサが接続されている。
【０１５５】
第２のアンテナスイッチＡＳ２の出力において、例えば、帯域７及び／又は帯域３０のような、高帯域領域の帯域用の非混合デュプレクサが配置されている。そのような構成により、帯域１、３、７及び３２を並列に動作することができる、４倍下りキャリアアグリゲーションモードが実現される。あるいは、帯域１２（又は５又は２９）は、帯域２及び帯域４及び帯域３０と連携して並列に動作することができる。この実施は、特に、セル方式クアドプレクサ又はヘキサプレクサを必要としないことを特徴とする。
【０１５６】
フロントエンドモジュールにおいて低帯域領域の帯域が不要とされるか又は低帯域領域が第２のアンテナを介して動作する場合には、第１のダイプレクサＤＰＸ１を省略することができ、第１のアンテナ接続部ＡＴは、２つのエクストラクタ構成と直接接続することができる。
【０１５７】
図２８は、図２７に類似して、２つの異なるエクストラクタ構成が帯域６６（４／１／６５）ＲＸ及び帯域３２ＲＸの抽出用に設けられているが、図２７の例とは異なる構成である実施例を示す。
【０１５８】
アンテナスイッチＡＴは、ローパスにおいて９６０ＭＨｚまでの低帯域を分離する第１のダイプレクサＤＰＸ１と接続されている。ハイパスでは、１４２５ＭＨｚ〜２６９０ＭＨｚの周波数が信号出力され、第１のエクストラクタ構成ＥＡ１を介して第２のダイプレクサＤＰＸ２に伝達される。第１のエクストラクタ構成は、この場合にもまた、帯域６６（帯域４／帯域１／帯域６５）のＲＸ周波数用に設定されている。
【０１５９】
第２のダイプレクサでは、ローパスにおいて、１４２５ＭＨｚ〜２０２５ＭＨｚの中帯域周波数領域が分離され、１４５２〜１４９６ＭＨｚの周波数用の、ただし任意選択的な第２のエクストラクタ構成ＥＡ２を介して第１のアンテナスイッチＡＳ１に配分される。
【０１６０】
第２のデュプレクサＤＰＸ２のハイパスでは、２３００ＭＨｚ〜２６９０ＭＨｚの高帯域は、第２のアンテナスイッチＡＳ２に伝達される。
【０１６１】
第１のアンテナスイッチＡＳ１の出力に、帯域２及び帯域３用の未混合デュプレクサ並びに帯域１ＴＸ／帯域３ＲＸ及び帯域４ＴＸ／帯域２ＲＸ用の混合デュプレクサが設けられている。この構成を用いて、帯域１、帯域３、帯域７及び帯域３２の４倍下りキャリアアグリゲーションモードを実現することができる。更に、帯域１２（又は５又は２９）、２（又は２５）、４及び３０用のまさにそのような４倍キャリアアグリゲーションモードが可能である。
【０１６２】
いずれの事例でも、この４倍キャリアアグリゲーションモードに対して、セル方式クアドプレクサ又はヘキサプレクサは、必須ではない。提案された第２の４倍キャリアアグリゲーションモードは、帯域３２を動作する必要がないため、帯域３２用のエクストラクタ構成もまた省略することができる。同様に、低帯域領域の周波数が必須ではないか、又は更なるアンテナを介して動作されるならば、第１のダイプレクサＤＰＸ１は、任意選択的とすることができる。
【０１６３】
本発明は、少数の実施例に基づいてのみ記載することができたが、本発明は、これらの実施例に限定されない。本発明によるフロントエンドモジュールは、この場合、別個に実施されていない追加要素を含むことができる。エクストラクタ構成の数は、例えば、図４において提案されたように、抽出可能な帯域の数に応じて増加させることができる。動作可能な帯域の数は、対応するフィルタ要素の接続を介して任意に増加させることができ、所与の周波数領域用のアンテナスイッチは、当然ながら、この周波数領域用又はこの周波数領域の範囲内に存在する帯域用のフィルタ要素のみに割り当てることができる。
【０１６４】
それぞれのエクストラクタ構成は、任意選択的にバイパスパスを設けることができるため、動作モードに応じて有効化又は無効化することができる。
【０１６５】
アンテナスイッチの出力におけるフィルタ要素並びにエクストラクタ構成内のノッチフィルタ及びバンドパスフィルタは、マイクロ弾性波共振器を含む。ダイプレクサは、様々な技術において好適には、ＬＴＣＣセラミック又は積層体に集積化して実施することができ、本発明による構造は、より容易な手段で実現することができる広いダイプレクサ間隔を可能にする。
【０１６６】
常に本発明によるフロントエンドモジュールについてのみ説明したが、そのようなモジュールの個々の要素もまたそれ自体が、本発明を構成することができる。特に、その要素は、下り及び上りキャリアアグリゲーションモード用の特定の混合デュプレクサ又はトリプレクサである。また既に、任意選択的なバイパスパスにより、バイパスパスに配置されたスイッチを使用して有効化又は無効化することができるエクストラクタ構成は、別の構造に組み込むことができ、有利な効果を発揮する。
【０１６７】
また、記載されたフロントエンドモジュールの要素が複数の基板又は支持体上に分配することができるため、厳密にはもはやモジュールではなく構成が存在しているが、その構成は、同様に、本発明による、したがって、保護された対象として考慮すべきである。
【０１６８】
更に、本発明は、その構成が記載された構造を含み、別の要素及び構成とであるが更なる機能との相互接続によって設けられている限り、更に複雑な構成もまた含む。
【符号の説明】
【０１６９】
ＳＰ１        第１の信号パスであり、
ＡＴ          アンテナスイッチと
ＤＰＸ１      第１のダイプレクサとを接続する。
ＴＰ１、２    ダイプレクサ出力における第１の分割パス及び第２の分割パス
ＥＡ１        第１のエクストラクタ構成であり、
ＮＦ１        第１のノッチフィルタを備え、第１のノッチフィルタは、
ＥＰ１        第１のエクストラクタパスと、そこに配置された
ＢＰ１        第１のバンドパスフィルタとを備え、第１のバンドパスフィルタは、
ＬＭＢ        低中帯域
ＵＥＢ        バイパスパスを備え、バイパスパスは、そこに配置された
ＳＷ          スイッチを備える。
ＡＳ          分割パス又は信号パスにおけるアンテナスイッチ
ＬＢ          低帯域
ＭＢ          中帯域
ＨＢ          高帯域
ＤＡＴ        ダイバーシティアンテナであり、
ＤＲＸ        ダイバーシティＲＸフィルタと接続可能である。
【図１Ａ】
2019508961.tif 000003
【図１Ｂ】
2019508961.tif 000004
【図２Ａ】
2019508961.tif 000005
【図２Ｂ】
2019508961.tif 000006
【図３】
2019508961.tif 000007
【図４】
2019508961.tif 000008
【図５Ａ】
2019508961.tif 000009
【図５Ｂ】
2019508961.tif 000010
【図６】
2019508961.tif 000011
【図７】
2019508961.tif 000012
【図８】
2019508961.tif 000013
【図９】
2019508961.tif 000014
【図１０Ａ】
2019508961.tif 000015
【図１０Ｂ】
2019508961.tif 000016
【図１１Ａ】
2019508961.tif 000017
【図１１Ｂ】
2019508961.tif 000018
【図１１Ｃ】
2019508961.tif 000019
【図１２】
2019508961.tif 000020
【図１３】
2019508961.tif 000021
【図１４】
2019508961.tif 000022
【図１５Ａ】
2019508961.tif 000023
【図１５Ｂ】
2019508961.tif 000024
【図１５Ｃ】
2019508961.tif 000025
【図１６】
2019508961.tif 000026
【図１７】
2019508961.tif 000027
【図１８Ａ】
2019508961.tif 000028
【図１８Ｂ】
2019508961.tif 000029
【図１９】
2019508961.tif 000030
【図２０】
2019508961.tif 000031
【図２１】
2019508961.tif 000032
【図２２】
2019508961.tif 000033
【図２３】
2019508961.tif 000034
【図２４】
2019508961.tif 000035
【図２５】
2019508961.tif 000036
【図２６】
2019508961.tif 000037
【図２７】
2019508961.tif 000038
【図２８】
2019508961.tif 000039
【国際調査報告】
2019508961.tif 000040
2019508961.tif 000041
2019508961.tif 000042
2019508961.tif 000043